(57)【要約】【課題】利用者の意図しない原稿サイズの設定でコピー等の機能が実行されることを減少させ、利用者の操作負担を軽減させることを課題とする。【解決手段】原稿が載置される原稿台と、原稿のサイズを含む複数の設定項目の現在の設定値を表示する表示部と、原稿のサイズに関する情報を設定する原稿サイズ設定部と、原稿サイズ設定部によって設定された現在の原稿のサイズに関する情報を示す原稿サイズ設定情報を記憶した記憶部と、原稿サイズ設定情報に記憶されている原稿のサイズに関する情報を表示部に表示する原稿サイズ表示部とを備え、原稿サイズ設定情報には、原稿の大きさが予め規定されている原稿サイズデータ、または、原稿のサイズを設定していないことを示す未設定データが記憶されることを特徴とする。【選択図】図４
2020195064.tif 000002
【特許請求の範囲】
【請求項１】
原稿が載置される原稿台と、
前記原稿のサイズを含む複数の設定項目の現在の設定値を表示する表示部と、
前記原稿のサイズに関する情報を設定する原稿サイズ設定部と、
前記原稿サイズ設定部によって設定された現在の原稿のサイズに関する情報を示す原稿サイズ設定情報を記憶した記憶部と、
前記原稿サイズ設定情報に記憶されている原稿のサイズに関する情報を前記表示部に表示する原稿サイズ表示部とを備え、
前記原稿サイズ設定情報には、原稿の大きさが予め規定されている原稿サイズデータ、または、原稿のサイズを設定していないことを示す未設定データが記憶されることを特徴とする画像形成装置。
【請求項２】
前記原稿サイズ設定情報に、前記未設定データが設定されている場合、
前記原稿サイズ表示部は、前記表示部に原稿のサイズに関する情報を表示しないことを特徴とする請求項１に記載の画像形成装置。
【請求項３】
前記原稿サイズ設定情報に、前記未設定データが設定されている場合、
前記原稿サイズ表示部は、前記表示部に、前記未設定データに予め対応付けられている情報を、現在の原稿のサイズに関する情報として表示することを特徴とする請求項１に記載の画像形成装置。
【請求項４】
前記原稿サイズ設定情報に、前記未設定データが設定されている場合、
前記原稿サイズ表示部は、前記表示部に、
原稿のサイズを設定していないことを示す文字情報、あるいは、原稿のサイズを設定していないことを意味するアイコン、図形、および画像のうちいずれかの情報、または、前記文字情報、アイコン、図形、および画像のうちいずれか２つ以上の情報を組み合わせた情報を、現在の原稿のサイズに関する情報として表示することを特徴とする請求項１に記載の画像形成装置。
【請求項５】
前記原稿サイズ設定部によって、原稿のサイズの初期値が設定された場合、
原稿のサイズの前記初期値が、原稿サイズ初期情報として前記記憶部に記憶され、
さらに、原稿のサイズの前記初期値は、前記原稿サイズ設定情報にも記憶されることを特徴とする請求項１に記載の画像形成装置。
【請求項６】
前記原稿サイズ設定部によって、原稿のサイズの前記初期値を設定する場合、
原稿のサイズの前記初期値として、原稿のサイズを設定していないことを示す未設定データを設定可能とすることを特徴とする請求項５に記載の画像形成装置。
【請求項７】
画像形成装置で実行可能な複数の機能のうち、所望の機能を選択する機能選択部をさらに備え、
前記機能選択部によってコピー機能が選択された場合、前記表示部に、コピー機能で利用される設定項目の現在設定値を含む操作画面を表示し、
前記コピー機能で利用される設定項目には、原稿サイズが含まれ、
前記操作画面には、原稿サイズの現在設定値として、前記原稿サイズ設定情報に前記原稿サイズデータが設定されている場合は、その設定されている原稿サイズデータが表示され、または、前記原稿サイズ設定情報に前記未設定データが設定されている場合は、前記未設定データに予め対応付けられている情報が表示されることを特徴とする請求項１に記載の画像形成装置。
【請求項８】
前記機能選択部によって選択された機能を実行する機能実行部をさらに備え、
前記コピー機能で利用される設定項目に、コピーに用いる印刷用紙のサイズが含まれ、
前記機能選択部によってコピー機能が選択され、前記印刷用紙のサイズの現在設定値が予め設定され、かつ、前記原稿サイズ設定情報に前記未設定データが設定されている場合は、前記機能実行部が、前記原稿台に載置された原稿のサイズを、前記印刷用紙のサイズに設定して、コピーを実行することを特徴とする請求項７に記載の画像形成装置。
【請求項９】
複数の原稿を１枚ずつ搬送して読み取る自動原稿送り装置をさらに備え、
前記自動原稿送り装置が、自動原稿送り装置に載置された原稿のサイズを検出する原稿サイズ検出部を備え、
前記自動原稿送り装置に原稿が載置された場合に、
前記原稿サイズ検出部によって、前記載置された原稿のサイズを検出し、
前記検出された原稿のサイズを前記原稿サイズ設定情報に記憶し、
前記原稿サイズ表示部が、現在の原稿のサイズに関する情報として、前記検出された原稿のサイズを、前記表示部に表示することを特徴とする請求項１に記載の画像形成装置。
【請求項１０】
複数の原稿を１枚ずつ搬送して読み取る自動原稿送り装置をさらに備え、
前記自動原稿送り装置に原稿が載置されていない状態で、前記原稿サイズ設定情報に、前記未設定データが設定されている場合、
前記原稿サイズ表示部は、前記表示部に、前記未設定データに予め対応付けられている情報を、現在の原稿のサイズに関する情報として表示することを特徴とする請求項１に記載の画像形成装置。
【請求項１１】
前記原稿台に原稿が載置されているか否かを検出する原稿有無検出部をさらに備え、
前記原稿有無検出部によって前記原稿台に原稿が載置されていることを検出し、かつ、前記原稿サイズ設定情報に前記未設定データが設定されている場合に、
前記原稿サイズ表示部は、前記表示部に、前記未設定データに予め対応付けられている情報を、現在の原稿のサイズに関する情報として表示し、
前記原稿台に載置された原稿のサイズを検出しないことを特徴とする請求項１に記載の画像形成装置。
【請求項１２】
画像形成装置に備えられた原稿台に載置された原稿のサイズを設定する原稿サイズ設定方法であって、
前記原稿のサイズを含む複数の設定項目を所定の操作画面に表示させ、
前記操作画面に表示された原稿のサイズが選択入力された場合、原稿のサイズの現在の設定値を設定入力することが可能な原稿サイズ選択画面を表示させ、
前記原稿サイズ選択画面には、原稿の大きさが予め規定されている１または複数の原稿サイズデータと、原稿のサイズを設定していないことを示す未設定データとが表示され、
前記原稿サイズデータと前記未設定データのうちいずれかが選択入力された場合、現在の原稿サイズに関する情報を示す原稿サイズ設定情報に、選択入力された原稿サイズデータまたは未設定データを記憶し、
前記未設定データが選択入力された場合は、前記未設定データに予め対応付けられている情報を、現在の原稿サイズに関する情報として表示することを特徴とする画像形成装置の原稿サイズ設定方法。
【発明の詳細な説明】
【技術分野】
【０００１】
この発明は、画像形成装置に関し、特に、原稿台に載置された原稿のサイズを検出する機能を有さない画像形成装置に関する。
【背景技術】
【０００２】
従来から、原稿台に載置された原稿のサイズを検出する機能を有する画像形成装置が利用されている。この画像形成装置では、原稿を読み取った後、たとえば検出した原稿サイズと同じサイズの印刷用紙に、読み取った原稿の画像データを印刷することが行われている。
たとえば、特許文献１には、原稿のサイズの検出は、原稿載置台を挟んで、複数個の発光部と複数個の受光部をそれぞれ対向する位置に配置した原稿サイズ検出センサを備え、各発光部から出力された一部またはすべての光が、原稿載置台に載置された原稿によって遮光され、各受光部における受光の有無を検出することによって行われることが記載されている。
【０００３】
また、複数枚の原稿を１枚ずつ読み取ることが可能な自動原稿送り装置を備えた画像形成装置も利用されている。この画像形成装置では、自動原稿送り装置においてセットされた原稿のサイズを検出し、検出された原稿サイズで１枚ずつ原稿を読み取り、原稿サイズと同じサイズの印刷用紙に、読み取った原稿の画像データを印刷することが行われている。
【０００４】
しかし、装置の小型化や低価格化等のために、原稿台に載置された原稿のサイズを検出する機能を有さない画像形成装置も利用されている。
このような原稿サイズ検出機能を有さない画像形成装置では、たとえば、利用者がコピー機能を実行する場合、一般的に、利用者が原稿台に載置してコピーする原稿のサイズを設定入力し、さらに、印刷する用紙のサイズや、倍率や枚数等も設定入力した後に、コピー開始の入力操作をする。
【先行技術文献】
【特許文献】
【０００５】
【特許文献１】特開２０１７−７６９１５号公報
【発明の概要】
【発明が解決しようとする課題】
【０００６】
従来の原稿台に載置された原稿のサイズを検出する機能を有さない画像形成装置で、たとえば、原稿台に載置する原稿サイズの初期設定値をA4サイズに設定していた場合において、原稿台にA4サイズの原稿、あるいはA4サイズよりも小さいサイズの原稿を原稿台に載置して読み取らせた場合は、正常に原稿全体を読み取ることができた。
しかし、原稿台に載置する原稿サイズの初期設定値をA4サイズに設定していた場合において、原稿台にA4サイズよりも大きな原稿（たとえばA3サイズの原稿）を載置して読み取らせた場合は、原稿全体を読み取ることができず、一部の画像が欠けてしまうという不具合が発生していた。
【０００７】
たとえば、利用者が画像形成装置のコピー機能を利用して、原稿を複写する場合は、原稿の一部の画像が欠けた印刷用紙が出力されるので、利用者は、出力された印刷用紙を確認することで、コピーに失敗したことを理解することになる。この場合、その印刷用紙は無駄になるが、利用者が原稿サイズの設定項目等を正しく設定し直すことによって、再度コピーをすることができる。
【０００８】
ただし、利用者が画像形成装置のスキャン機能やファックス機能など、印刷を伴わない機能を利用する場合は、スキャンやファックス等を実行した直後には、読み取った原稿やＦＡＸ送信された原稿の用紙への印刷が行われないので、利用者は、一部の画像が欠けた原稿が読み取られたことや、一部の画像が欠けた原稿がＦＡＸ送信されたことに、気が付かない場合があった。
【０００９】
また、原稿台に載置された原稿のサイズ検出機能を有する画像形成装置を通常利用している利用者が、原稿台に載置された原稿のサイズを検出する機能を有さない画像形成装置であることを知らずに、原稿サイズを設定せずに、原稿台に原稿を載置してすぐにコピーを開始する入力操作をした場合には、一部の画像が欠けた印刷用紙が出力される場合があり、印刷用紙が無駄になる場合がある。
【００１０】
また、画像形成装置で読み取ることのできる原稿の最大サイズ（たとえばA3サイズ）を、予め初期設定値として設定し、印刷する用紙も収納可能な最大サイズ（たとえばA3サイズ）を、予め初期設定値として設定しておけば、画像が欠けてしまうという不具合はなくなる。
しかし、読み取る原稿のサイズが小さくても、最大サイズの原稿を読み取る動作をするために、読み取りに時間がかかり、原稿のない部分も原稿の一部分として読み取られてしまい、さらに、読み取った原稿の画像は、常に最大サイズの印刷用紙に印刷されるので、読み取る原稿のサイズが小さい場合は、印刷用紙に無駄な空白部分が発生し、しかも高い利用料金がかかる場合もある。
【００１１】
そこで、この発明は、以上のような事情を考慮してなされたものであり、原稿台に載置された原稿のサイズ検出機能を有さない画像形成装置において、利用者の意図しない原稿サイズの設定で、コピーやスキャン等の機能が実行される可能性を減らし、利用者の操作負担を軽減し、原稿の意図しない読み取りや原稿の意図しない印刷等を未然に防止することを課題とする。
【課題を解決するための手段】
【００１２】
この発明は、原稿が載置される原稿台と、前記原稿のサイズを含む複数の設定項目の現在の設定値を表示する表示部と、前記原稿のサイズに関する情報を設定する原稿サイズ設定部と、前記原稿サイズ設定部によって設定された現在の原稿のサイズに関する情報を示す原稿サイズ設定情報を記憶した記憶部と、前記原稿サイズ設定情報に記憶されている原稿のサイズに関する情報を前記表示部に表示する原稿サイズ表示部とを備え、前記原稿サイズ設定情報には、原稿の大きさが予め規定されている原稿サイズデータ、または、原稿のサイズを設定していないことを示す未設定データが記憶されることを特徴とする画像形成装置を提供するものである。
【００１３】
また、前記原稿サイズ設定情報に、前記未設定データが設定されている場合、前記原稿サイズ表示部は、前記表示部に原稿のサイズに関する情報を表示しないことを特徴とする。
【００１４】
また、前記原稿サイズ設定情報に、前記未設定データが設定されている場合、前記原稿サイズ表示部は、前記表示部に、前記未設定データに予め対応付けられている情報を、現在の原稿のサイズに関する情報として表示することを特徴とする。
【００１５】
また、前記原稿サイズ設定情報に、前記未設定データが設定されている場合、前記原稿サイズ表示部は、前記表示部に、原稿のサイズを設定していないことを示す文字情報、あるいは、原稿のサイズを設定していないことを意味するアイコン、図形、および画像のうちいずれかの情報、または、前記文字情報、アイコン、図形、および画像のうちいずれか２つ以上の情報を組み合わせた情報を、現在の原稿のサイズに関する情報として表示することを特徴とする。
【００１６】
また、前記原稿サイズ設定部によって、原稿のサイズの初期値が設定された場合、原稿のサイズの前記初期値が、原稿サイズ初期情報として前記記憶部に記憶され、さらに、原稿のサイズの前記初期値は、前記原稿サイズ設定情報にも記憶されることを特徴とする。
【００１７】
また、前記原稿サイズ設定部によって、原稿のサイズの前記初期値を設定する場合、原稿のサイズの前記初期値として、原稿のサイズを設定していないことを示す未設定データを設定可能とすることを特徴とする。
【００１８】
また、画像形成装置で実行可能な複数の機能のうち、所望の機能を選択する機能選択部をさらに備え、前記機能選択部によってコピー機能が選択された場合、前記表示部に、コピー機能で利用される設定項目の現在設定値を含む操作画面を表示し、前記コピー機能で利用される設定項目には、原稿サイズが含まれ、前記操作画面には、原稿サイズの現在設定値として、前記原稿サイズ設定情報に前記原稿サイズデータが設定されている場合は、その設定されている原稿サイズデータが表示され、または、前記原稿サイズ設定情報に前記未設定データが設定されている場合は、前記未設定データに予め対応付けられている情報が表示されることを特徴とする。
【００１９】
また、前記機能選択部によって選択された機能を実行する機能実行部をさらに備え、前記コピー機能で利用される設定項目に、コピーに用いる印刷用紙のサイズが含まれ、前記機能選択部によってコピー機能が選択され、前記印刷用紙のサイズの現在設定値が予め設定され、かつ、前記原稿サイズ設定情報に前記未設定データが設定されている場合は、前記機能実行部が、前記原稿台に載置された原稿のサイズを、前記印刷用紙のサイズに設定して、コピーを実行することを特徴とする。
【００２０】
また、複数の原稿を１枚ずつ搬送して読み取る自動原稿送り装置をさらに備え、前記自動原稿送り装置が、自動原稿送り装置に載置された原稿のサイズを検出する原稿サイズ検出部を備え、前記自動原稿送り装置に原稿が載置された場合に、前記原稿サイズ検出部によって、前記載置された原稿のサイズを検出し、前記検出された原稿のサイズを前記原稿サイズ設定情報に記憶し、前記原稿サイズ表示部が、現在の原稿のサイズに関する情報として、前記検出された原稿のサイズを、前記表示部に表示することを特徴とする。
【００２１】
また、複数の原稿を１枚ずつ搬送して読み取る自動原稿送り装置をさらに備え、前記自動原稿送り装置に原稿が載置されていない状態で、前記原稿サイズ設定情報に、前記未設定データが設定されている場合、前記原稿サイズ表示部は、前記表示部に、前記未設定データに予め対応付けられている情報を、現在の原稿のサイズに関する情報として表示することを特徴とする。
【００２２】
また、前記原稿台に原稿が載置されているか否かを検出する原稿有無検出部をさらに備え、前記原稿有無検出部によって前記原稿台に原稿が載置されていることを検出し、かつ、前記原稿サイズ設定情報に前記未設定データが設定されている場合に、前記原稿サイズ表示部は、前記表示部に、前記未設定データに予め対応付けられている情報を、現在の原稿のサイズに関する情報として表示し、前記原稿台に載置された原稿のサイズを検出しないことを特徴とする。
【００２３】
また、この発明は、画像形成装置に備えられた原稿台に載置された原稿のサイズを設定する原稿サイズ設定方法であって、前記原稿のサイズを含む複数の設定項目を所定の操作画面に表示させ、前記操作画面に表示された原稿のサイズが選択入力された場合、原稿のサイズの現在の設定値を設定入力することが可能な原稿サイズ選択画面を表示させ、前記原稿サイズ選択画面には、原稿の大きさが予め規定されている１または複数の原稿サイズデータと、原稿のサイズを設定していないことを示す未設定データとが表示され、前記原稿サイズデータと前記未設定データのうちいずれかが選択入力された場合、現在の原稿サイズに関する情報を示す原稿サイズ設定情報に、選択入力された原稿サイズデータまたは未設定データを記憶し、前記未設定データが選択入力された場合は、前記未設定データに予め対応付けられている情報を、現在の原稿サイズに関する情報として表示することを特徴とする画像形成装置の原稿サイズ設定方法を提供するものである。
【発明の効果】
【００２４】
この発明によれば、原稿のサイズに関する情報を設定する原稿サイズ設定部と、原稿サイズ設定部によって設定された現在の原稿のサイズに関する情報を示す原稿サイズ設定情報を記憶した記憶部と、原稿サイズ設定情報に記憶されている原稿のサイズに関する情報を表示部に表示する原稿サイズ表示部とを備え、原稿サイズ設定情報に、原稿のサイズを設定していないことを示す未設定データを記憶することができるので、原稿サイズに関する情報として、未設定データが設定されていることを表示部に表示することにより、利用者の意図しない原稿サイズの設定で、画像形成装置の機能が実行されてしまう可能性を減らすことができ、意図しない原稿サイズの設定による機能の実行が減少することにより、再度その機能の実行をやり直す操作をすることも減少するので、利用者の操作負担を軽減させることができる。
【図面の簡単な説明】
【００２５】
【図１】この発明の画像形成装置の一実施例の構成ブロック図である。
【図２】この発明の画像形成装置において、操作パネルの一実施例を示す説明図である。
【図３】この発明において、記憶部に記憶される情報の一実施例の説明図である。
【図４】この発明において、コピー選択時の操作画面の一実施例の説明図である。
【図５】この発明において、コピー選択時の操作画面で原稿サイズを選択入力した場合の一実施例の説明図である。
【図６】この発明において、原稿サイズの初期設定選択画面と、印刷用紙選択画面の一実施例の説明図である。
【図７】この発明において、スキャン選択時の操作画面の一実施例の説明図である。
【図８】この発明において、スキャン選択時の操作画面で、原稿サイズが「指定しない」に設定されている場合の表示の一実施例の説明図である。
【図９】この発明において、スキャン選択時の操作画面に表示される警告表示と、操作要求表示の一実施例の説明図である。
【図１０】この発明において、ファックス選択時の操作画面の一実施例の説明図である。
【図１１】この発明において、ファックス選択時の操作画面で、原稿サイズが「指定しない」に設定されている場合の表示の一実施例の説明図である。
【図１２】この発明において、ファックス選択時の操作画面に表示される警告表示と、操作要求表示の一実施例の説明図である。
【図１３】この発明において、原稿サイズ初期設定処理の一実施例のフローチャートである。
【図１４】この発明において、コピー機能が選択された場合の処理の一実施例のフローチャートである。
【図１５】この発明の図１４において、設定項目の内容の設定処理の一実施例のフローチャートである。
【図１６】自動原稿送り装置を備えた画像形成装置において、コピー機能が選択された場合の処理の一実施例のフローチャートである。
【図１７】この発明において、原稿読取（スキャン）機能が選択された場合の処理の一実施例のフローチャートである。
【図１８】この発明において、原稿送信（ファックス）機能が選択された場合の処理の一実施例のフローチャートである。
【図１９】この発明において、原稿送信（ファックス）機能が選択された場合の処理の一実施例のフローチャートである。
【図２０】この発明において、原稿送信（ファックス）機能が選択された場合の処理の一実施例のフローチャートである。
【発明を実施するための形態】
【００２６】
以下、図面を使用して本発明の実施の形態を説明する。なお、以下の実施例の記載によって、この発明が限定されるものではない。
また、この発明は、以下に示す画像形成装置であるが、原稿台等に載置された原稿を読み取る機能を有する他の情報処理装置、画像読取装置などにも適用可能である。
【００２７】
＜画像形成装置の構成＞
図１に、この発明の画像形成装置の一実施例の構成ブロック図を示す。
画像形成装置（以下、ＭＦＰ：Multifunction Peripheral、複合機とも呼ぶ）１は、画像データを処理する装置であり、たとえば、複写（コピー）機能、印刷機能、原稿読取（スキャン）機能、原稿編集機能、原稿送信（ファックス、ＦＡＸ）機能、通信機能などを備えた電子機器である。
以下の実施例では、この発明の画像形成装置１は、特に、複写（コピー）機能、原稿読取（スキャン）機能、原稿送信（ファックス、ＦＡＸ）機能を備えるものとして説明するが、これ以外の機能を備えてもよい。
また、後述する印刷用紙への印刷を伴わない機能には、原稿を読み取るスキャン機能、原稿を送信するファックス機能が含まれるものとする。
【００２８】
この発明の画像形成装置１は、読み取る原稿が載置される原稿載置台４１（以下、原稿台とも呼ぶ）と、原稿を抑える原稿カバーとを備えるが、原稿台４１に載置された原稿のサイズを検出する機能を有さないものとする。
また、原稿台４１に原稿が載置されたことを検出する機能（原稿有無検出機能）については、原稿台に原稿が載置されていない場合に、コピーや原稿読取が実行されないようにするために、この原稿有無検出機能を有することが好ましい。
【００２９】
また、画像形成装置１は、複数枚の原稿を載置して、複数の原稿を１枚ずつ自動的に搬送して読み取る自動原稿送り装置４２（以下、ＡＤＦ：Automatic Document Feederとも呼ぶ）を備えてもよい。
自動原稿送り装置４２（ADF）は、原稿の片面のみを読み取る装置であってもよく、原稿の両面を読み取る装置（ＲＡＤＦ：Reverse Automatic Document Feeder）であってもよい。
また、原稿を原稿台の方に搬送して原稿を読み取る装置や、原稿を移動させ固定された読取センサで原稿の両面を読み取る装置（ＲＳＰＦ：Reversing Single Pass Feeder）であってもよく、読取センサが移動して原稿を読み取る装置であってもよい。
また、自動原稿送り装置ADFは、複数枚の原稿が載置された場合に、ADFに載置された原稿のサイズを検出する機構（後述する原稿サイズ検出部）を有しているものとする。
【００３０】
図１において、この発明の画像形成装置（MFP）１は、主として、制御部１１、操作部１２、表示部１３、画像入力部１４、画像形成部１５、画像出力部１６、原稿サイズ設定部２１、原稿サイズ表示部２２、原稿有無検出部２３、原稿サイズ検出部２４、機能選択部２５、機能実行部２６、機能禁止部２７、試行印刷要求部２８、記憶部５０を備える。
ここで、原稿有無検出部２３は、原稿台に原稿が載置されているか否かを検出するものであり、原稿サイズ検出部２１は、自動原稿送り装置４２を備えた場合に、自動原稿送り装置４２に載置された原稿のサイズを検出するものである。
【００３１】
制御部１１は、操作部や画像形成部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の画像形成機能、原稿サイズ設定機能などを実行する。
【００３２】
また、上記構成要素のうち、原稿サイズ設定部２１、原稿サイズ表示部２２、機能選択部２５、機能禁止部２７、試行印刷要求部２８は、ＣＰＵが、所定のプログラムに基づいてそれぞれの処理を実行する機能ブロックである。
【００３３】
操作部１２は、画像形成装置の利用者が所定の入力操作をするための入力装置である。
たとえば、文字などの情報の入力や、機能の選択入力をする部分であり、キーボード、マウス、タッチパネルなどが用いられる。
利用者が操作するキーとしては、後述するように、十字選択キー、動作開始キー、機能選択キー、設定キーなどがある。
【００３４】
表示部１３は、情報を表示する部分であり、各機能の実行に必要な情報や、機能の実行の結果などを、利用者に知らせるために表示する。たとえば、LCD、有機ELディスプレイなどが用いられ、操作部１２としてタッチパネルが用いられる場合は、表示部１３とタッチパネルとが重ね合わせて配置される。
表示部１３には、たとえば、画像形成装置の印刷等に利用する設定項目の設定や、原稿読取機能等を実行するのに必要な情報や、選択した機能の操作画面などが、文字、記号、図形、画像、アイコン、アニメーション、動画等を用いて、表示される。
【００３５】
図２に、操作部１２としてタッチパネルが用いられた場合の操作パネルの一実施例の概略図を示す。
図２の操作パネル１００には、主として、表示部１３と、十字選択キー１０１、動作開始キー１０２、機能選択キー１０３、設定キー１０４などが配置されている。
表示部１３には、重ねてタッチパネルが配置され、選択された機能の操作画面１３０が表示される。操作画面１３０としては、たとえば、後述する図４に示すような画面が表示される。操作画面１３０には、原稿のサイズを含む複数の設定項目の現在の設定値などが表示される。
操作画面１３０に表示された項目の表示領域を選択入力することにより、表示された項目の入力操作が行われる。
【００３６】
十字選択キー１０１、動作開始キー１０２、機能選択キー１０３、設定キー１０４は、頻繁に利用するキーなので、物理的に押し下げることによって入力操作をするキーが好ましいが、これらのキーの配置部分にも、タッチパネルと表示領域を設け、その表示領域にこれらのキーを表示させてもよい。
動作開始キー１０２は、選択された機能の動作を開始または停止させるものであり、たとえば、カラーで画像の読み取りを開始させる「カラースタートキー」１０２ａ、白黒で画像の読み取りを開始させる「白黒スタートキー」１０２ｂ、開始した機能の動作を停止させる「ストップキー」１０２ｃからなる。
【００３７】
機能選択キー１０３は、画像形成装置で利用可能な複数の機能のうち、所望の機能を選択するものであり、たとえば、ファックス機能を選択するための「ファックスキー」１０３ａ、スキャン機能を選択するための「スキャンキー」１０３ｂ、コピー機能を選択するための「コピーキー」１０３ｃからなる。
ただし、画像形成装置で利用可能な機能は、これらの３つの機能に限られるものではない。
設定キー１０４は、画像形成装置を利用するときに必要な各種設定項目の設定内容を変更するためのキーであり、設定キー１０４を入力することにより、各種設定項目の設定内容を変更することができる操作画面が、表示部１３に表示される。
【００３８】
画像入力部１４、画像形成部１５、および、画像出力部１６は、画像形成装置本来の画像形成機能を実行する画像処理部に相当する。
主として、画像入力部１４は、所定の画像データを入力する部分であり、画像形成部１５は、入力された画像データを印刷等することのできる情報に変換する部分であり、画像出力部１６は、形成された印刷情報等を印刷用紙等に出力する部分である。
【００３９】
画像入力部１４は、たとえば、画像や文字図形等が記載された原稿などの情報を入力する部分であり、原稿台に載置された原稿を読み取る部分である。
画像入力部としては、情報が記載された原稿を読み取るスキャナ（読取装置）を用いる。
画像情報を入力する方法は種々の方法があるが、たとえば、画像等が記載された原稿をスキャナで読み取り、原稿の画像データを、記憶部５０に記憶する。
【００４０】
また、たとえば、ＵＳＢメモリなどの外部の記憶媒体を接続するインタフェースが、画像入力部に該当する。
入力したい画像情報などの電子データファイルを、ＵＳＢメモリなどの外部の記憶媒体に保存しておき、ＵＳＢメモリ等をＵＳＢ端子などの入力インタフェースに接続し、操作部１２で所定の入力操作を行うことによって、ＵＳＢメモリ等に保存された所望の電子データファイルを読み出して、記憶部５０に、画像データとして記憶してもよい。
【００４１】
画像形成部１５は、たとえば、画像データを記録媒体に印刷する場合、一般的に、帯電、露光、現像、転写、クリーニング、除電、及び定着の各工程を連続的に実施して、画像データを記録媒体に形成する。
現像工程では、トナーカートリッジからトナーを現像装置に補給し、帯電した感光体ドラムの表面に形成された静電潜像が現像され、静電潜像に対応したトナー像が形成される。
感光体ドラムの表面に形成されたトナー像は転写装置によって記録媒体上に転写され、その後、定着装置によって加熱されることにより記録媒体上に定着させられる。
また、画像形成部１５は、入力された画像データを転送や表示できる形態の情報に変換する。
【００４２】
画像出力部１６は、形成された画像データを出力する部分であり、たとえば、プリンタに相当し、読み取られた原稿の画像データを、所定の印刷用紙（紙媒体）に印刷する。
ただし、画像データの出力は、印刷に限るものではなく、スキャンされた原稿の画像データの記憶、スキャンされた原稿の画像データのＦＡＸ送信なども含まれる。
たとえば、読み取られた原稿の画像データをＵＳＢメモリなどの外部の記憶媒体へ記憶することや、インターネットなどのネットワークを介して他の情報処理装置やサーバへ画像データを送信することも、画像出力に相当する。
【００４３】
原稿サイズ設定部２１は、読取対象である原稿のサイズ（大きさ）に関する情報を設定する部分である。
主として、原稿台に配置される原稿のサイズを、利用者または管理担当者の入力操作に基づいて設定する。
原稿のサイズの設定は、コピー等の機能を実行する前に行われる。
利用者が画像形成装置を利用する場合、原稿サイズは、その利用者によって設定入力され、原稿サイズ設定部２１によって設定された原稿サイズは、後述する原稿サイズ設定情報５１として記憶部５０に記憶される。
【００４４】
また、画像形成装置の出荷時、設置時、起動開始時などに、管理担当者などによって、原稿のサイズの初期値が、予め設定入力される。
原稿サイズ設定部２１によって原稿のサイズの初期値が設定された場合、原稿のサイズの初期値が、後述する原稿サイズ初期情報５５として記憶部５０に記憶される。
さらに、初期設定時において、原稿のサイズの初期値は、原稿サイズ設定情報５１にも記憶される。
【００４５】
さらに、管理担当者が、原稿サイズ設定部２１によって原稿のサイズの初期値を設定する場合は、原稿のサイズの初期値として、原稿の大きさが予め規定されている原稿サイズデータ、または、原稿のサイズを設定していないことを示す未設定データを設定可能とする。この未設定データは、後述する「指定しない」という原稿サイズの項目内容に相当する。
原稿サイズデータは、Ａ４とかＢ４というような通常の定型の原稿サイズに相当する。
【００４６】
原稿サイズの初期値が設定入力されて記憶部５０に記憶されている場合において、その原稿サイズの初期値が利用者の意図する原稿サイズであった場合、利用者は、原稿サイズの設定入力を行わずに、原稿サイズの初期値を利用してコピー機能等を利用することができる。
【００４７】
この発明では、管理担当者によって原稿サイズの初期値を設定する場合において、原稿サイズとして、Ａ４とかＢ４というような通常の定型の原稿サイズ（原稿サイズデータ）を初期設定する以外に、「指定しない」という項目内容（未設定データ）を初期設定できるようにする。
原稿サイズの初期値の設定作業は、たとえば、操作パネル１００の設定キー１０４を選択入力することにより行い、原稿サイズの初期値を設定する操作画面を表示させる。
【００４８】
原稿サイズの初期値を設定する場合、たとえば、原稿のサイズを含む複数の設定項目を所定の操作画面に表示させ、その後、操作画面に表示された原稿のサイズが選択入力された場合、原稿のサイズの現在の設定値を設定入力することが可能な原稿サイズ選択画面を表示させる。この原稿サイズ選択画面には、原稿の大きさが予め規定されている１または複数の原稿サイズデータと、原稿のサイズを設定していないことを示す未設定データとが表示される。
原稿サイズ選択画面を表示した状態で、原稿サイズデータと未設定データのうちいずれかが選択入力された場合、現在の原稿サイズに関する情報を示す原稿サイズ設定情報５１に、選択入力された原稿サイズデータまたは未設定データを記憶する。未設定データが選択入力された場合は、未設定データに予め対応付けられている情報を、現在の原稿サイズに関する情報として表示する。
【００４９】
図６（a）に、原稿サイズの初期値を設定する操作画面（原稿サイズ初期設定選択画面）の一実施例の説明図を示す。
図６（a）の操作画面１３０では、原稿サイズの設定可能値１４１を表示し、Ａ４とかＢ４というような複数の定型の原稿サイズの他に、未設定データに相当する「指定しない」という項目内容も表示する。
たとえば、画像形成装置で利用される原稿サイズとして「A4」が非常に多い場合は、管理担当者は、原稿サイズの初期値を「A4」に設定するために、「A4」の表示領域を選択入力する。
あるいは、原稿サイズの初期値を特定のサイズに設定したくない場合は、原稿のサイズを設定していないことを示すために、「指定しない」の表示領域を選択入力する。
【００５０】
このように、原稿サイズの初期値として、「指定しない」という項目内容を設定しておき、利用者が画像形成装置を利用するときに、「指定しない」という未設定データに予め対応付けられている所定の情報を、現在の原稿のサイズに関する情報として表示することにより、利用者に、現在まだ原稿サイズの設定がされていないこと、あるいは、原稿サイズの設定が必要であることを報知する。
これにより、利用者の意図しない原稿サイズの設定で、コピー等が実行されてしまうことを減らすことができる。
【００５１】
たとえば、後述する図５（a）に示すように、利用者がコピー機能を選択した場合において、原稿サイズの現在設定値として「指定しない」という項目内容が設定されている場合、表示部に表示される操作画面の中の原稿サイズの欄には、「指定なし」という表示をして、利用者に、原稿サイズの設定がされていないことを報知する。
【００５２】
また、利用者がスキャン機能またはファックス機能を選択した場合において、原稿サイズの初期値として「指定しない」という項目内容が設定されている場合、表示部に表示される操作画面の中の原稿サイズの欄には、「指定なし」という表示をし、さらに、原稿が原稿台に載置されたとき、原稿台を使用しての原稿の読取はできないこと示すメッセージ等を表示して、利用者に、ADFを使用した原稿の読取をすべきことを報知する。
【００５３】
以下の実施例では、上記したように、管理担当者などによって設定入力される原稿サイズの初期値は、原稿サイズ初期情報５５として記憶するものとする。
また、利用者が画像形成装置を利用するときに、その利用者が、原稿サイズを設定入力した場合は、入力された原稿サイズの値を、原稿サイズ設定情報５１として記憶するものとする。
利用者が原稿サイズを設定入力する操作は、たとえば、後述するような図５に示すような操作画面を表示させて行えばよい。
一方、管理担当者などが原稿サイズを初期設定する操作は、上記したように、図６（a）に示すような操作画面を表示させて行えばよい。
【００５４】
また、管理担当者などによって設定入力された原稿サイズの初期値は、原稿サイズ初期情報５５として記憶された後、同じ値が原稿サイズ設定情報５１にも記憶されるものとする。
ただし、利用者が原稿サイズを設定入力した場合は、原稿サイズ設定情報５１は、利用者が設定入力した値に変更される。
後述するように、原稿サイズ設定情報５１は、表示部１３の操作画面に表示される原稿サイズの現在設定値に利用される。
【００５５】
また、利用者Ａが原稿サイズを設定入力し、原稿サイズ設定情報５１が変更された場合において、次に他の利用者Ｂが画像形成装置を利用するときに、利用者Ｂが意図しない原稿サイズで印刷等が実行されるのを防止するために、利用者Ａの画像形成装置の使用が終了した後、一定時間（たとえば、30秒から１分程度）以上入力操作がされなかった場合や、利用者Ａが画像形成装置の前から立ち去ったことを検出してから一定時間以上の時間が経過した場合は、原稿サイズ設定情報５１に、原稿サイズ初期情報５５を代入し、原稿サイズの現在設定値を、初期値に戻すものとする。
したがって、原則として、新たな利用者が、画像形成装置を利用する場合は、原稿サイズ初期情報５５に予め記憶されている原稿サイズの初期値が、表示されるものとする。
【００５６】
原稿サイズ表示部２２は、現在の原稿サイズ設定情報５１に記憶されている原稿のサイズに関する情報を、表示部１３の操作画面に表示する部分である。
後述するように、操作画面には、原稿サイズの現在設定値の他に、印刷用紙サイズや倍率など種々の設定項目の現在設定値が表示される。
原稿サイズ表示部２２は、操作画面に表示される複数の設定項目のうち、特に、原稿サイズの欄の表示内容を、原稿サイズ設定情報５１を利用して表示させる。
たとえば、原稿サイズ設定情報５１に、原稿サイズデータである「Ａ４」が記憶されている場合、表示部１３の操作画面の原稿サイズの欄に、「Ａ４」を表示させる。
【００５７】
一方、原稿サイズ設定情報５１に、未設定データに相当する「指定しない」が記憶されている場合、表示部１３の操作画面に、未設定データに予め対応付けられている情報を、現在の原稿のサイズに関する情報として表示する。
たとえば、操作画面の原稿サイズの欄に、原稿のサイズを設定していないことを示す「指定なし」という文字情報を表示させる。
また、原稿のサイズを設定していないことを意味するアイコンを表示してもよい。
あるいは、原稿サイズ設定情報５１に、未設定データに相当する「指定しない」が記憶されている場合は、表示部に表示する原稿のサイズに関する情報として、何も表示しないようにしてもよく、この場合は、操作画面の原稿サイズの欄を空白のままとする。
【００５８】
原稿有無検出部２３は、原稿台に、原稿が載置されているか否かを検出する部分であり、主として、発光部と受光部からなる。
原稿台は、原稿を載置する台であり、原稿が載置される原稿載置領域を有し、原稿台の上面に、たとえば透明なガラス板からなる原稿載置領域が設けられ、原稿載置領域の上に、原稿用紙を載置する。
また、原稿載置領域の上に載置された原稿用紙を、上方から押さえる部材である原稿カバーが、原稿台に接続され、かつ、開閉可能なように原稿台に取り付けられる。
原稿カバーを完全に閉じることにより、原稿カバーによって原稿載置領域が覆われる。
【００５９】
発光部は、たとえば、発光ダイオード（LED）が利用され、発光ダイオードから出射される光が、原稿載置領域の方向に向かうように、原稿台に対して開閉可能に取り付けられた原稿カバーに取り付けられる。
受光部は、発光部から出射された光を受光する受光素子であり、たとえば、所定の波長の可視光を受光することが可能なフォトダイオード（PD）が利用され、原稿載置領域よりも下方で、原稿台の内部側面に配置される。
すなわち、発光部と受光部とは、原稿載置台を間に挟んだ反対側にそれぞれ配置される。
【００６０】
原稿カバーが閉じられた場合に、発光部から出射された光線が、透明な原稿載置領域を透過して、受光部に受光される。
発光部から出射された光線が、受光部に受光された場合、原稿が載置されていないと判断する。
一方、原稿台に原稿が載置されている場合は、発光部から出射された光線は、原稿によって遮光されるので、受光部に受光されない。そこで、発光部から出射された光線が受光部に受光されなかった場合、原稿が載置されていると判断する。
【００６１】
たとえば、原稿有無検出部２３によって原稿台に原稿が載置されていることを検出し、かつ、原稿サイズ設定情報５１に未設定データが設定されている場合に、原稿サイズ表示部２２が、表示部１３に、未設定データに予め対応付けられている情報を、現在の原稿のサイズに関する情報として表示してもよい。
【００６２】
原稿サイズ検出部２４は、自動原稿送り装置ADFに原稿が載置された場合に、載置された原稿のサイズを検出する部分である。
また、自動原稿送り装置ADFに原稿が載置されたときに、サイズを検出するとともに、原稿が載置されたことも検出する。自動原稿送り装置ADFに原稿が載置されていない場合は、原稿が載置されていないことが検出される。
自動原稿送り装置ADFには、従来から、原稿の載置の有無を検出する機構と、載置された原稿のサイズを検出する機構が備えられているので、この発明でも、その機構を利用して原稿のサイズを検出すればよい。
検出された原稿のサイズは、検出原稿サイズ情報５４として記憶される。
【００６３】
特に、後述するように、自動原稿送り装置ADFに原稿が載置された場合に、原稿サイズ検出部２４によって、載置された原稿のサイズを検出し、検出された原稿のサイズを原稿サイズ設定情報５１に記憶し、原稿サイズ表示部２２が、現在の原稿のサイズに関する情報として、検出された原稿のサイズを、表示部１３に表示する。
これにより、自動原稿送り装置ADFに原稿が載置された場合は、原稿サイズデータや未設定に対応づけられた情報がすでに表示されていたとしても、優先的に、原稿サイズ検出部２４によって検出された原稿のサイズが表示される。
【００６４】
一方、自動原稿送り装置ADFに原稿が載置されていない状態で、原稿サイズ設定情報５１に、未設定データが設定されている場合は、原稿サイズ表示部２２は、表示部１３に、未設定データに予め対応付けられている情報を、現在の原稿のサイズに関する情報として表示する。
【００６５】
機能選択部２５は、画像形成装置で実行可能な複数の機能のうち、利用者の選択入力操作によって、所望の機能を選択する部分である。
たとえば、図２に示したように、画像形成装置１が、コピー機能、原稿読取（スキャン）機能、原稿送信（ファックス）機能を有している場合に、利用者は、機能選択キー１０３を操作することによって、利用したい機能を選択する。
機能選択キー１０３によって、機能が選択されると、原則として、その機能に対応した操作画面が表示される。
たとえば、機能選択キー１０３のコピーキー１０３ｃが入力されると、図４（a）に示すようなコピー選択時の操作画面が表示される。
【００６６】
特に、機能選択部２５によってコピー機能が選択された場合、表示部１３に、コピー機能で利用される設定項目の現在設定値を含む操作画面を表示し、コピー機能で利用される設定項目には、原稿サイズが含まれ、操作画面には、原稿サイズの現在設定値として、原稿サイズ設定情報５１に原稿サイズデータが設定されている場合は、その設定されている原稿サイズデータが表示され、または、原稿サイズ設定情報５１に未設定データが設定されている場合は、未設定データに予め対応付けられている情報が表示される。
【００６７】
機能実行部２６は、機能選択部２５によって選択された機能を実行する部分である。
この選択された機能は、原則として、現在設定されている設定項目の設定値に基づいて、実行される。
図２に示したように、たとえば、動作開始キー１０２のうち、カラースタートキー１０２ａを入力操作することによって、選択された機能の動作が開始される。
たとえば、コピーが選択されている場合において、カラースタートキー１０２ａが入力操作されると、コピー機能に関係する設定項目の現在設定値に基づいて、カラーによる原稿読取と、印刷が実行される。
【００６８】
特に、この発明では、後述するように、コピー機能で利用される設定項目に、コピーに用いる印刷用紙のサイズが含まれ、機能選択部２５によってコピー機能が選択され、印刷用紙のサイズの現在設定値が予め設定され、かつ、原稿サイズ設定情報５１に未設定データが設定されている場合は、機能実行部２６が、原稿台に載置された原稿のサイズを、印刷用紙のサイズに設定して、コピーを実行する。
【００６９】
機能禁止部２７は、選択された機能を、実行させないようにする部分である。
所定の条件が成立する場合に、選択された機能を実行するとした場合、その条件が成立しない場合は、動作開始キーが入力されたとしても、選択された機能を実行しないようにする。
機能を実行させない場合、後述するような図９などに示す警告表示をしたり、使用可能な操作を案内する操作要求表示をしたりして、利用者に、次に取るべき操作を報知する。
【００７０】
後述するように、特に、原稿サイズ設定情報５１に、原稿のサイズを設定していないことを示す未設定データが、現在の原稿のサイズに関する情報として記憶され、機能選択部２５によって選択された機能が、印刷用紙への印刷を伴わない機能であり、原稿台に原稿が載置された場合、機能実行部２６は、機能選択部２５によって選択された機能を実行しないようにする。
【００７１】
また、機能選択部２５によって選択された印刷用紙への印刷を伴わない機能を実行しない場合、原稿台に載置された原稿に対して選択された機能を実行することができないことを、利用者に報知する。
さらに、機能選択部２５によって選択された印刷用紙への印刷を伴わない機能を実行しない場合、原稿台に載置された原稿に対して選択された機能を実行することができないことに加え、原稿台に載置された原稿を自動原稿送り装置に置き換えることを要求することを、利用者に報知してもよい。
【００７２】
たとえば、印刷用紙への印刷を伴わない機能であるスキャン機能やファックス機能が選択されている場合において、現在の原稿サイズの設定が「指定しない」であった場合、原稿台に原稿が載置されたときは、その選択された機能の実行を禁止し、後述する図８や図１１に示すように、原稿台を利用したスキャン機能やファックス機能は使用できないことを示す警告表示や、自動原稿送り装置ADFに原稿を置き換えることを要求する表示などを行う。
【００７３】
また、上記のように、原稿台に載置された原稿に対して選択された機能を実行することができないことを報知する場合、文字情報、アイコン、図形、画像、およびアニメーションのうちいずれかの情報を表示部１３に表示するか、または文字情報、アイコン、図形、画像、およびアニメーションのうちいずれか２つ以上の情報を組み合わせた情報を表示部１３に表示してもよい。
あるいは、音声を出力する音声出力部を備えて、原稿台に載置された原稿に対して選択された機能を実行することができないことを示す音声を、音声出力部から出力するようにしてもよい。
【００７４】
また、同様に、原稿台に載置された原稿を自動原稿送り装置に置き換えることを要求することを報知する場合、原稿を原稿台から自動原稿送り装置に置き換えることを意味する文字情報、アイコン、図形、画像、およびアニメーションのうちいずれかの情報を表示部１３に表示するか、または、文字情報、アイコン、図形、画像、およびアニメーションのうちいずれか２つ以上の情報を組み合わせた情報を表示部１３に表示してもよい。
【００７５】
また、スキャン機能やファックス機能が選択されている場合において、自動原稿送り装置ADFが搭載されていない場合や自動原稿送り装置ADFが故障している場合など、自動原稿送り装置ADFが利用できない場合は、自動原稿送り装置ADFが使用できないことや、原稿台に原稿を載置すべきことを示す警告表示をして、原稿台に原稿が載置されるまで、その選択された機能の実行を禁止する。
【００７６】
試行印刷要求部２８は、スキャン機能やファックス機能など、印刷用紙への印刷を伴わない機能を実行する場合に、その機能を実行する前に、利用者に、画像入力部１４によって読み取られた原稿の画像データを、所定の印刷用紙へ印刷する試行印刷（プレ印刷）を行うべきか否かを問い合わせる部分である。
【００７７】
たとえば、後述するように、機能選択部２５によって選択された機能が、印刷用紙への印刷を伴わない機能であり、原稿有無検出部２３によって原稿台に原稿が載置されていることを検出し、原稿サイズ設定情報５１に原稿のサイズを設定していないことを示す未設定データが現在の原稿のサイズに関する情報として記憶されている場合、機能実行部２６が機能選択部２５によって選択された機能を実行する前に、試行印刷要求部２８が、表示部１３に、試行印刷（プレ印刷）を行うか否かを問い合わせる表示を行う。
【００７８】
あるいは、さらに自動原稿送り装置ADFが利用できない状態であり、表示部１３に、画像入力部１４によって読み取られた原稿の画像データを表示できない場合に、試行印刷要求部２８が、表示部１３に、試行印刷を行うか否かを問い合わせる表示を行うようにしてもよい。
【００７９】
上記したように、原稿台に載置された原稿の原稿サイズを検出できない画像形成装置では、用紙への印刷を伴わないスキャン機能等を実行する場合は、原稿の一部分が欠けた状態で読み取られたか否かを、確認できない場合がある。
【００８０】
そこで、特に、自動原稿送り装置ADFが利用できない場合において、原稿台に原稿を載置して、用紙への印刷を伴わないスキャン機能等を実行する場合は、後述する図９（b）に示すように、所定の印刷用紙への試行印刷（プレ印刷）を行うべきか否かを問い合わせる操作要求表示を行うようにする。
利用者がこの操作要求表示を見て、プレ印刷を選択入力した場合は、たとえば、最大原稿サイズで原稿を読み取り、読み取った原稿の画像データを、所定の用紙へ印刷する。
【００８１】
特に、原稿サイズの現在設定値が「指定しない」の場合は、原稿の一部分が欠けた状態で読み取られる可能性が高いので、プレ印刷をするほうが好ましい。
また、原稿サイズの現在設定値に、利用者が自ら設定したサイズが設定されている場合は、原稿の一部分が欠けた状態で読み取られる可能性は低いと考えられるが、利用者の設定した原稿サイズが間違っている場合もあるので、プレ印刷で読取結果を事前に確認できるという観点で、プレ印刷を行うべきか否かを問い合わせてもよい。
【００８２】
したがって、原稿を原稿台に載置した状態で、スキャン機能やファックス機能など、用紙への印刷を伴わない機能を実行する場合であって、原稿サイズの現在設定値に「指定しない」が設定されている場合に、利用者に、所定の印刷用紙への試行印刷（プレ印刷）を行うべきか否かを問い合わせる要求をすればよい。ただし、以下の実施例では、原稿サイズの現在設定値に「指定しない」が設定されている場合と、原稿サイズの現在設定値に、利用者が自ら設定したサイズが設定されている場合のどちらも、プレ印刷を行うべきか否かを問い合わせる要求をするものとする。
【００８３】
また、プレ印刷を行うべきか否かを問い合わせる要求の表示をする際に、同時に、原稿サイズを、利用者が手動で設定入力するかどうかを問い合わせる表示をしてもよい。
利用者が、原稿サイズを設定入力することを選択した場合は、原稿サイズを設定入力するための画面に切り替えればよい。
この場合、試行印刷（プレ印刷）を行うか否かを問い合わせる表示をした後、利用者が、試行印刷（プレ印刷）を行うことを意味する入力をするか、あるいは、原稿サイズを設定入力することを意味する入力をすればよい。
【００８４】
また、操作部１２によって試行印刷を行うことを意味する入力がされた場合は、たとえば、画像入力部１４が、利用可能な最大の原稿サイズで原稿を読み取り、画像出力部１６が、利用可能な最大の印刷用紙に、読み取られた原稿の画像データを印刷する。
利用者は、読み取られた原稿の画像データが印刷された結果を確認して、その印刷結果が、承認できるものか否かを判断する。
【００８５】
さらに、試行印刷によって読み取られた原稿の画像データを印刷した後、操作部１２によって、印刷用紙に印刷された画像データを承認する入力がされ、機能選択部２５によって選択された機能を開始させる入力がされた場合に、機能実行部２６が機能選択部２５によって選択された機能を実行する。
【００８６】
記憶部５０は、この発明の画像処理装置の各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部５０には、たとえば、原稿サイズ設定情報５１、選択用紙情報５２、原稿サイズ表示情報５３、検出原稿サイズ情報５４、原稿サイズ初期情報５５などが記憶される。
図３に、記憶部５０に記憶される情報の一実施例の説明図を示す。
【００８７】
原稿サイズ設定情報５１は、原稿サイズ設定部２１によって設定された現在の原稿のサイズに関する情報を示したものである。
主として、原稿サイズ設定情報５１には、原稿の大きさが予め規定されている原稿サイズデータ、または、原稿のサイズを設定していないことを示す未設定データが記憶される。
たとえば、原稿サイズ設定情報５１には、原稿台に載置された所定の機能を実行する対象である原稿の実際のサイズを示す情報（原稿サイズデータ）が設定記憶され、原則として、原稿サイズ設定情報５１（GS）に設定された値が、機能選択時の操作画面に、現在設定値として表示される。
利用者によって設定入力された原稿サイズは、原稿サイズ設定情報５１（GS）に記憶される。ただし、画像形成装置の初期状態など、原稿サイズが利用者によって設定入力されない場合は、原稿サイズ初期情報５５に予め設定された情報と同じ情報が、原稿サイズ設定情報５１に記憶される。
【００８８】
図３（a）に、原稿サイズ設定情報５１の一実施例の説明図を示す。
たとえば、「A4」、「B4」というような定型サイズが記憶される。
また、原稿サイズ初期情報５５に予め「指定しない」（NGとも呼ぶ）が設定されていた場合において、原稿サイズが利用者によって設定入力されていない状態では、原稿サイズ設定情報５１に、「指定しない」（NG）が記憶される。
原稿サイズ設定情報５１の設定値例は、これらに限るものではない。
【００８９】
選択用紙情報５２は、コピー機能など、印刷を伴う機能が選択されたときに、情報を印刷する用紙のサイズを設定した情報である。
たとえば、画像形成装置に収納された印刷用紙のうち、実際に利用する印刷用紙のサイズが、利用者によって設定入力され、選択用紙情報５２（PA）に記憶される。
図３（b）に、選択用紙情報５２の一実施例の説明図を示す。
たとえば、画像形成装置に定型サイズの印刷用紙が収納されている場合は、「A4」、「B5」というような定型サイズが記憶される。
【００９０】
図６（b）に、印刷用紙を選択するための操作画面の一実施例の説明図を示す。
たとえば、利用者がコピー機能を利用するときに、印刷用紙を設定する場合、所定の入力操作を行うことによって、図６（b）に示すような印刷用紙設定用の操作画面１３０を、表示部１３に表示させる。
印刷用紙設定用の操作画面１３０には、画像形成装置で利用可能な印刷用紙の一覧（印刷用紙設定可能値）１４２が表示されている。
利用者は、表示された印刷用紙の一覧（印刷用紙設定可能値）１４２の中から、利用したい印刷用紙を選択入力する。操作部がタッチパネルの場合、所望の印刷用紙が表示されている領域を選択入力すればよい。
これにより、選択入力された印刷用紙が、選択用紙情報５２（PA）に記憶される。
【００９１】
利用者は、画像形成装置を利用する場合に、必ず、印刷用紙のサイズを設定入力することが好ましい。ただし、画像形成装置に収納された印刷用紙が１種類しかない場合、その印刷用紙のサイズを検出し、検出された印刷用紙サイズを、選択用紙情報５２に予め設定してもよい。
あるいは、画像形成装置に収納された印刷用紙のサイズが複数ある場合は、複数の印刷用紙のうち、いずれかの印刷用紙のサイズを、自動的に、または管理担当者によって、選択用紙情報５２に予め設定してもよい。
【００９２】
原稿サイズ表示情報５３は、操作画面の原稿サイズ欄に表示される内容を予め設定したものであり、原稿サイズ設定情報５１に「指定しない」（NG）が設定されていた場合に、操作画面の原稿サイズ欄に表示される内容を示した情報である。
原稿サイズ表示情報５３は、管理担当者などによって、画像形成装置を稼働させる前に、予め設定される。
原稿サイズ設定情報５１に、「A4」というような定型サイズが設定されている場合は、その設定された定型サイズを、操作画面の原稿サイズ欄にそのまま表示すればよい。
ただし、原稿サイズ設定情報５１に「指定しない」（NG）が設定されていた場合は、この原稿サイズ表示情報５３（GH）の内容にしたがって、操作画面の原稿サイズ欄に所定の表示を行う。
【００９３】
図３（c）に、原稿サイズ表示情報５３（GH）の一実施例の説明図を示す。
図３（c）では、３つの設定値例を示している。
たとえば、原稿サイズ表示情報５３（GH）が、「無し」の場合、後述する図４（b）に示すように、操作画面の原稿サイズの現在設定値の欄には、何も表示しないことを意味する。
原稿サイズ表示情報５３（GH）が、「アイコン」の場合、後述する図４（c-2）に示すように、操作画面の原稿サイズの現在設定値の欄に、現在の原稿サイズが「指定しない」（NG）であることを意味するアイコンを表示する。
原稿サイズ表示情報５３（GH）が、「文字」の場合、後述する図４（c-1）に示すように、操作画面の原稿サイズの現在設定値の欄に、現在の原稿サイズが「指定しない」（NG）であることを意味する「指定なし」という文字情報を表示する。
【００９４】
このように、操作画面の原稿サイズの現在設定値の欄に、「A4」というような定型サイズが表示されていない場合、すなわち、原稿サイズの現在設定値の欄が空白のままで何も表示されていないか、所定のアイコンが表示されているか、あるいは「指定なし」という文字情報が表示されている場合は、現在、原稿サイズが設定されていないことを意味し、利用者に、原稿サイズの設定入力をする必要があることを知らせる。
【００９５】
検出原稿サイズ情報５４は、上記したように、自動原稿送り装置ADFに原稿が載置されている場合に、原稿サイズ検出部２４によって検出された原稿サイズを記憶した情報である。
図３（d）に、原稿サイズ表示情報５３（AS）の一実施例の説明図を示す。
自動原稿送り装置ADFに定型サイズの原稿が載置されている場合は、図３（d）の設定値例のように、原稿サイズ表示情報５３（AS）に、「A4」、「B5」というような値が記憶される。
【００９６】
原稿サイズ初期情報５５は、管理担当者等によって、予め設定された原稿サイズの初期値である。
原稿サイズ初期情報５５にも、原稿の大きさが予め規定されている原稿サイズデータ、または、原稿のサイズを設定していないことを示す未設定データが記憶される。
図３（e）に、原稿サイズ初期情報５５（GI）の一実施例の説明図を示す。
原稿サイズ初期情報５５（GI）としては、原稿サイズ設定情報５１の設定値例と同様に、「A4」、「B5」というような定型サイズ、あるいは、「指定しない」（NG）ことを意味する情報が初期設定される。
上記したように、原稿サイズ初期情報５５（GI）が初期設定されると、利用者によって原稿サイズ設定情報５１が設定されない状態では、原稿サイズ初期情報５５（GI）に設定された内容が、原稿サイズ設定情報５１にも記憶される。
【００９７】
＜原稿サイズの設定および表示の実施形態＞
（実施形態１）
ここでは、画像形成装置の機能のうち、コピー機能が選択された場合の原稿サイズの設定および表示について説明する。
図２に示す機能選択キー103のうち、コピーキー103cを選択入力することにより、コピー機能が実行できる状態となり、コピー選択時の操作画面が表示部１３に表示される。
その後必要に応じて、利用者によって、設定項目の設定や変更の入力が行われ、動作開始キー102（カラースタート102a、あるいは、白黒スタート102b）が選択入力されることによって、コピーが実行される。
【００９８】
図４に、コピー選択時の操作画面の一実施例の説明図を示す。
図４（a）のコピー選択時の操作画面１３０では、コピー機能に関係する設定項目の現在設定値１３１と、設定項目選択１３２とを表示している。
図４（a）では、現在設定値１３１として、コピー機能に関係する代表的な４つの設定項目（原稿サイズ、印刷用紙サイズ、濃度、倍率）を表示しているが、設定項目はこの４つに限るものではない。
利用者は、表示された現在設定値１３１を確認することにより、コピーが実行される場合の現在の条件を知ることができる。
【００９９】
ここで、現在設定値１３１の原稿サイズの欄には、原稿サイズ設定情報５１に記憶されている情報が表示される。この原稿サイズの欄が、現在設定されている原稿サイズを表示するための表示部の所定の領域に相当する。
たとえば、原稿サイズ設定情報５１に「A4」が記憶されている場合、図４（a）に示すように、現在設定値１３１の原稿サイズは「A4」となっている。
【０１００】
図４（b）では、初期設定値である原稿サイズ初期情報５５に「指定しない」が記憶されており、現在の原稿サイズ設定情報５１にも、初期設定値である原稿サイズ初期情報５５と同じ「指定しない」が記憶されている場合の現在設定値１３１を示している。
すなわち、原稿サイズ設定情報５１が「指定しない」であるので、現在設定値１３１の原稿サイズの欄には、何も表示していない。
この場合、現在設定値１３１の原稿サイズの欄に何も表示していないことで、現在、原稿サイズが設定されていないことを示しており、原稿サイズを設定する必要があることを意味する。
【０１０１】
ただし、原稿サイズ設定情報５１に「指定しない」が記憶されている場合の原稿サイズの欄の表示は、図４（b）に限るものではない。
すなわち、原稿サイズ設定情報５１に、「指定しない」のような未設定データが設定されている場合、原稿サイズ表示部２２が、表示部１３に、原稿のサイズを設定していないことを示す文字情報、あるいは、原稿のサイズを設定していないことを意味するアイコン、図形、および画像のうちいずれかの情報を表示するか、または、文字情報、アイコン、図形、および画像のうちいずれか２つ以上の情報を組み合わせた情報を、現在の原稿のサイズに関する情報として表示してもよい。
【０１０２】
現在の原稿のサイズに関する情報として、たとえば、図４（c）に示すような表示をしてもよい。
図４（c-1）のように、原稿サイズの欄に、「指定なし」という文字情報を表示してもよく、また、図４（c-2）のように、原稿サイズの欄に、「？？？」のような記号と、原稿の形状を意図した図形を組み合わせたアイコンを表示してもよい。
この他にも、原稿サイズを設定する必要があることを利用者に知らせるために、原稿サイズの欄が目立つように、原稿サイズの欄の色を赤色等の目立つ色に変更したり、原稿サイズの欄を点滅表示したりしてもよい。
【０１０３】
あるいは、図１に図示していない音声を出力する音声出力部（スピーカー）を備え、音声で原稿サイズを設定する必要があることを報知してもよい。
さらに、原稿サイズを設定する必要があることを報知するための専用のLEDを備え、このLEDを点灯または点滅してもよい。
また、原稿サイズ欄を、選択設定されるまで拡大縮小を繰り返すアニメーションのような表示をしてもよい。
【０１０４】
設定項目選択１３２は、利用者が設定内容を変更することのできる設定項目を示している。
図４（a）では、利用者が変更可能な代表的な４つの設定項目（原稿サイズ選択、印刷用紙選択、ソート設定、倍率設定）を表示しているが、設定変更できる設定項目はこの４つに限るものではない。この表示された設定項目のいずれかの表示領域を選択入力することにより、選択された設定項目の内容を変更する。
【０１０５】
たとえば、図４（a）の現在設定値１３１において、原稿サイズは「A4」となっているが、コピーする原稿が「B4」の場合、設定項目選択１３２のうち、「原稿サイズ選択」の表示領域を選択入力することによって、原稿サイズを変更できる状態となる。
また、図４（b）のように、現在設定値１３１の欄に何も表示していない場合、原稿サイズを設定する必要があるので、同様に、設定項目選択１３２のうち、「原稿サイズ選択」の表示領域を選択入力することによって、原稿サイズを設定できる状態となる。
【０１０６】
図５に、コピー選択時の操作画面で原稿サイズを選択入力した場合の一実施例の説明図を示す。
図５（a）は、図４（b）と同様に、原稿サイズ設定情報５１に「指定しない」が記憶されている場合の原稿サイズの欄の表示例であり、原稿サイズの欄に「指定なし」が表示されている場合を示している。
図５（a）において、設定項目選択１３２のうち、「原稿サイズ選択」の表示領域を選択入力することによって、原稿サイズを設定入力できる状態となり、たとえば、図５（b）または図５（c）に示すような操作画面１３０が表示される。
【０１０７】
図５（b）および図５（c）は、設定項目として、「原稿サイズ」を選択入力したときの操作画面であり、図５（b）は、原稿サイズがAB系の場合の表示例であり、図５（c）は、原稿サイズがインチ系の場合の表示例である。
図５（b）の場合、操作画面１３０に表示された「AB系設定可能サイズ」１３３に表示されている複数のAB系原稿サイズのうち、所望のAB系原稿サイズを選択入力することにより、原稿サイズを設定する。
図５（c）の場合、同様に、操作画面１３０に表示された「インチ系設定可能サイズ」１３３に表示されている複数のインチ系原稿サイズのうち、所望のインチ系原稿サイズを選択入力することにより、原稿サイズを設定する。
図５（b）のAB系原稿サイズの操作画面と、図５（c）のインチ系原稿サイズの操作画面とは、たとえば、十字選択キー１０１を利用することにより、切り替えればよい。
【０１０８】
（実施形態２）
ここでは、画像形成装置の機能のうち、原稿読取機能（スキャン機能）が選択された場合の原稿サイズの設定および表示について説明する。
図２に示す機能選択キー103のうち、スキャンキー103bを選択入力することにより、スキャン機能が実行できる状態となり、スキャン選択時の操作画面が表示部１３に表示される。
その後必要に応じて、利用者によって、設定項目の設定や変更の入力が行われ、動作開始キー102（カラースタート102a、あるいは、白黒スタート102b）が選択入力されることによって、スキャンが実行される。
【０１０９】
図７に、スキャン選択時の操作画面の一実施例の説明図を示す。
図７（a）と図７（b）のスキャン選択時の操作画面１３０では、スキャン機能に関係する設定項目の現在設定値１３１と、設定項目選択１３２とを表示している。
図７（a）と図７（b）では、現在設定値１３１として、スキャン機能に関係する代表的な４つの設定項目（原稿サイズ、解像度、記録フォーマット、カラー／白黒）を表示しているが、設定項目はこの４つに限るものではない。
利用者は、表示された現在設定値１３１を確認することにより、スキャンが実行される場合の現在の条件を知ることができる。
【０１１０】
図７でも、図４と同様に、現在設定値１３１の原稿サイズは、原稿サイズ設定情報５１に記憶されている情報が表示される。
たとえば、原稿サイズ設定情報５１に「A4」が記憶されている場合、図７（a）に示すように、現在設定値１３１の原稿サイズには「A4」が表示され、原稿サイズ設定情報５１に「指定しない」が記憶されている場合、図７（b）に示すように、現在設定値１３１の原稿サイズには、何も表示されない。
【０１１１】
また、スキャン選択時の操作画面１３０においても、図４と同様に、原稿サイズ設定情報５１に「指定しない」が記憶されている場合の原稿サイズの欄の表示は、図７（b）に限るものではなく、図７（c）のような表示をしてもよい。
たとえば、図７（c-1）のように、原稿サイズの欄に、「指定なし」という文字情報を表示してもよく、また、図７（c-2）のように、原稿サイズの欄に、「？？？」を含むアイコンを表示してもよい。
【０１１２】
図７の設定項目選択１３２も、図４と同様に、利用者が設定内容を変更することのできる設定項目を示している。
図７では、利用者が変更可能な代表的な４つの設定項目（原稿サイズ選択、解像度選択、記録フォーマット設定、カラー／白黒設定）を表示しているが、設定変更できる設定項目はこの４つに限るものではない。この表示された設定項目のいずれかの表示領域を選択入力することにより、選択された設定項目の内容を変更する。
【０１１３】
図８に、スキャン選択時の操作画面で、原稿サイズが「指定しない」に設定されている場合の表示の一実施例の説明図を示す。
上記したように、スキャン機能など、印刷用紙への印刷を伴わない機能を実行する場合において、原稿サイズが「指定しない」に設定されている場合、意図しない原稿の一部の画像が欠けたような読取が行われないようにするために、原稿が原稿台に載置された場合は、原稿台を使用した原稿の読取を禁止する表示をする。
また、ADFでは、自動的に原稿のサイズを検出することができるので、ADFを利用すべきことや、原稿をADFに置き換えることを要求する表示をしてもよい。
【０１１４】
図８（a）には、原稿サイズが「指定しない」に設定されている場合であって、原稿が原稿台に載置された場合に、スキャン選択時の操作画面１３０に重ねて、警告表示１３５の画面を表示したものを示している。
警告表示１３５では、「原稿台は使えません。ADFに、原稿を置き直してください。」という表示をして、原稿台を使用した原稿の読取を禁止することと、ADFを利用して原稿の読取をすべきことを、利用者に報知している。
【０１１５】
図８（b）には、原稿サイズが「指定しない」に設定されている場合であって、原稿が原稿台に載置された場合に、スキャン選択時の操作画面１３０の中で、原稿サイズを表示していた領域に重ねて、「ADFを利用してください」という警告表示をしたものを示している。
また、警告表示は、上記した２つの表示に限るものではなく、他の表示をしてもよい。
たとえば、画像形成装置の原稿台とADFの概略構成図を表示して、原稿を、原稿台からADFに移動させることがわかるように、原稿台にある原稿がADFの方に飛びADFに収容されるようなアニメーション動画を表示してもよい。
さらに、警告表示の他に、表示した内容を音声で報知してもよい。
【０１１６】
図９に、スキャン選択時の操作画面に表示される警告表示と、操作要求表示の一実施例の説明図を示す。
上記したように、スキャン選択時に、ADFが備えられていない場合や、ADFが使用できない場合においては、試行印刷（プレ印刷）をする場合がある。
試行印刷（プレ印刷）をするために必要な警告表示などを、図９に示している。
図９（a）では、スキャン機能が選択された時の操作画面であって、ADFが使用できない場合に表示される警告表示１３５を示している。
この警告表示１３５では、「ADFは、使えません。原稿台に、原稿を置き直してください。」という表示をして、ADFを使用した原稿の読取ができないことと、原稿台を利用して原稿の読取をすべきことを、利用者に報知している。
【０１１７】
図９（b）では、スキャン選択時に、ADFが使用できない場合において、原稿台に原稿が載置された場合に表示される操作要求表示画面を示している。
ここでは、３つの選択項目のうち、いずれかを選択入力することを要求する操作要求表示１３６を示している。
図９（b）において、「手動入力」は、利用者が自ら原稿サイズを入力する場合に選択する領域であり、「プレ印刷」は、試しにスキャンした結果を用紙に印刷するための入力をする場合に選択する領域であり、「戻る」は、たとえば、機能選択状態に戻る場合に選択する領域である。
【０１１８】
また、図９（b）では、利用者に対する説明文として、「ADFは使えません。原稿サイズを「手動入力」を入力するか、あるいは、「プレ印刷」を入力して、印刷された読取画像を確認した後、スキャンを実行してください。」という操作説明を表示している。
利用者が、図９（b）の表示を見て、たとえば、「手動入力」を選択入力すると、図７に示したような操作画面が表示される。
あるいは、利用者が、図９（b）の表示を見て、「プレ印刷」を選択入力すると、原稿台に載置された原稿の読取が実行され、さらに、読取結果の画像データが、印刷用紙に印刷される。
【０１１９】
図９（c）では、上記のように、「プレ印刷」が選択入力され、印刷用紙に印刷がされた後に、表示される操作要求表示画面を示している。
ここでは、プレ印刷によって印刷された画像データの確認と、印刷結果を承認する入力操作または原稿サイズの変更入力操作が要求される。
【０１２０】
図９（c）において、「手動入力」は、利用者が自ら原稿サイズを入力する場合に選択する領域であり、「OK」は、読み取った原稿サイズに問題がなく、プレ印刷した結果を承認するための入力をする場合に選択する領域であり、「戻る」は、たとえば、機能選択状態に戻る場合に選択する領域である。
また、図９（c）では、利用者に対する説明文として、「プレ印刷された画像を確認してください。原稿サイズに問題なければ「OK」を入力してください。原稿サイズを変更する場合は、「手動入力」を入力してください。」という操作説明を表示している。
【０１２１】
利用者が、図９（c）の表示を見て、たとえば、「手動入力」を選択入力すると、図７に示したような操作画面が表示される。
あるいは、利用者が、図９（c）の表示を見て、「OK」を選択入力すると、原稿台に載置された原稿の読取を開始できる状態となり、動作開始キー１０２を入力することにより、原稿台に載置された原稿のスキャンが開始される。
【０１２２】
（実施形態３）
ここでは、画像形成装置の機能のうち、原稿送信機能（ファックス機能）が選択された場合の原稿サイズの設定および表示について説明する。
図２に示す機能選択キー103のうち、ファックスキー103aを選択入力することにより、ファックス機能が実行できる状態となり、ファックス選択時の操作画面が表示部１３に表示される。
その後必要に応じて、利用者によって、設定項目の設定や変更の入力が行われ、動作開始キー102（カラースタート102a、あるいは、白黒スタート102b）が選択入力されることによって、ファックスが実行される。
【０１２３】
ファックス機能も、スキャン機能と同様に、用紙への印刷を伴わない機能なので、原稿台に原稿を載置した場合に、ファックス送信を禁止する旨の警告表示や、操作要求表示が行われる。
【０１２４】
図１０に、ファックス選択時の操作画面の一実施例の説明図を示す。
図１０（a）と図１０（b）のファックス選択時の操作画面１３０では、ファックス機能に関係する設定項目の現在設定値１３１と、設定項目選択１３２とを表示している。
図１０（a）と図１０（b）では、現在設定値１３１として、ファックス機能に関係する代表的な４つの設定項目（原稿サイズ、画質濃度、宛先、普通字／写真）を表示しているが、設定項目はこの４つに限るものではない。
利用者は、表示された現在設定値１３１を確認することにより、ファックスが実行される場合の現在の条件を知ることができる。
【０１２５】
図１０でも、図４と同様に、現在設定値１３１の原稿サイズは、原稿サイズ設定情報５１に記憶されている情報が表示される。
たとえば、原稿サイズ設定情報５１に「A4」が記憶されている場合、図１０（a）に示すように、現在設定値１３１の原稿サイズには「A4」が表示され、原稿サイズ設定情報５１に「指定しない」が記憶されている場合、図１０（b）に示すように、現在設定値１３１の原稿サイズには、何も表示されない。
【０１２６】
また、ファックス選択時の操作画面１３０においても、図４と同様に、原稿サイズ設定情報５１に「指定しない」が記憶されている場合の原稿サイズの欄の表示は、図１０（b）に限るものではなく、図１０（c）のような表示をしてもよい。
たとえば、図１０（c-1）のように、原稿サイズの欄に、「指定なし」という文字情報を表示してもよく、また、図１０（c-2）のように、原稿サイズの欄に、「？？？」を含むアイコンを表示してもよい。
【０１２７】
図１０の設定項目選択１３２も、図４と同様に、利用者が設定内容を変更することのできる設定項目を示している。
図１０では、利用者が変更可能な代表的な４つの設定項目（原稿サイズ選択、画質濃度選択、宛先選択、普通字／写真設定）を表示しているが、設定変更できる設定項目はこの４つに限るものではない。この表示された設定項目のいずれかの表示領域を選択入力することにより、選択された設定項目の内容を変更する。
【０１２８】
図１１に、ファックス選択時の操作画面で、原稿サイズが「指定しない」に設定されている場合の表示の一実施例の説明図を示す。
上記したように、ファックス機能など、用紙への印刷を伴わない機能を実行する場合において、原稿サイズが「指定しない」に設定されている場合、意図しない原稿の一部の画像が欠けたような読取が行われないようにするために、原稿が原稿台に載置された場合は、原稿台を使用した原稿の読取を禁止する表示をする。
また、ADFでは、自動的に原稿のサイズを検出することができるので、ADFを利用すべきことや、原稿をADFに置き換えることを要求する表示をしてもよい。
【０１２９】
図１１（a）では、図８（a）と同様に、原稿サイズが「指定しない」に設定されている場合であって、原稿が原稿台に載置された場合に、ファックス選択時の操作画面１３０に重ねて、警告表示１３５の画面（原稿台は使えません。ADFに、原稿を置き直してください。）を表示したものを示している。
【０１３０】
図１１（b）では、図８（b）と同様に、原稿サイズが「指定しない」に設定されている場合であって、原稿が原稿台に載置された場合に、ファックス選択時の操作画面１３０の中で、原稿サイズを表示していた領域に重ねて、「ADFを利用してください」という警告表示をしたものを示している。
また、警告表示は、上記した２つの表示に限るものではなく、他の表示をしてもよい。
たとえば、画像形成装置の原稿台とADFの概略構成図を表示して、原稿を、原稿台からADFに移動させることがわかるように、アニメーション動画を表示してもよい。
さらに、警告表示の他に、表示した内容を音声で報知してもよい。
【０１３１】
図１２に、ファックス選択時の操作画面に表示される警告表示と、操作要求表示の一実施例の説明図を示す。
上記したように、ファックス選択時も、スキャン選択時と同様に、ADFが備えられていない場合や、ADFが使用できない場合においては、試行印刷（プレ印刷）をすることが好ましい場合がある。試行印刷（プレ印刷）をするために必要な警告表示などを、図１２に示している。
【０１３２】
図１２（a）では、ファックス機能が選択された時の操作画面であって、ADFが使用できない場合に表示される警告表示１３５を示している。
この警告表示１３５では、図９（a）と同様に、「ADFは、使えません。原稿台に、原稿を置き直してください。」という表示をして、ADFを使用した原稿の読取ができないことと、原稿台を利用して原稿の読取をすべきことを、利用者に報知している。
【０１３３】
図１２（b）では、ファックス選択時に、ADFが使用できない場合において、原稿台に原稿が載置された場合に表示される操作要求表示画面を示している。
ここでは、図９（b）と同様に、３つの選択項目のうち、いずれかを選択入力することを要求する操作要求表示１３６を示している。
図１２（b）において、「手動入力」は、利用者が自ら原稿サイズを入力する場合に選択する領域であり、「プレ印刷」は、試しにスキャンした結果を用紙に印刷するための入力をする場合に選択する領域であり、「戻る」は、たとえば、機能選択状態に戻る場合に選択する領域である。
【０１３４】
また、図１２（b）では、利用者に対する説明文として、「ADFは使えません。原稿サイズを「手動入力」を入力するか、あるいは、「プレ印刷」を入力して、印刷された読取画像を確認した後、ファックスを実行してください。」という操作説明を表示している。
利用者が、図１２（b）の表示を見て、たとえば、「手動入力」を選択入力すると、図１０に示したような操作画面が表示される。
あるいは、利用者が、図１２（b）の表示を見て、「プレ印刷」を選択入力すると、原稿台に載置された原稿の読取が実行され、さらに、読取結果の画像データが、印刷用紙に印刷される。
【０１３５】
図１２（c）では、図９（c）と同様に、「プレ印刷」が選択入力され、印刷用紙に印刷がされた後に、表示される操作要求表示画面を示している。
ここでは、プレ印刷によって印刷された画像データの確認と、印刷結果を承認する入力操作または原稿サイズの変更入力操作が要求される。
【０１３６】
図１２（c）において、「手動入力」は、利用者が自ら原稿サイズを入力する場合に選択する領域であり、「OK」は、読み取った原稿サイズに問題がなく、プレ印刷した結果を承認するための入力をする場合に選択する領域であり、「戻る」は、たとえば、機能選択状態に戻る場合に選択する領域である。
また、図１２（c）では、利用者に対する説明文として、「プレ印刷された画像を確認してください。原稿サイズに問題なければ「OK」を入力してください。原稿サイズを変更する場合は、「手動入力」を入力してください。」という操作説明を表示している。
【０１３７】
利用者が、図１２（c）の表示を見て、たとえば、「手動入力」を選択入力すると、図１０に示したような操作画面が表示される。
あるいは、利用者が、図１２（c）の表示を見て、「OK」を選択入力すると、原稿台に載置された原稿のファックス送信を開始できる状態となり、動作開始キー１０２を入力することにより、原稿台に載置された原稿のファックス送信が開始される。
【０１３８】
＜原稿サイズの初期設定処理＞
図１３に、原稿サイズ初期設定処理の一実施例のフローチャートを示す。
原稿サイズの初期設定は、上記したように、画像形成装置の管理担当者によって行われる。
また、設定された原稿サイズの初期設定値は、原稿サイズ初期情報５５に記憶される。
図１３のステップS1において、画像形成装置の初期設定を要求する入力がされたか否かをチェックする。
ステップS2において、初期設定を要求する入力がされた場合は、ステップS3に進み、そうでない場合は、ステップS1に戻る。
【０１３９】
ステップS3において、初期設定項目の選択画面を表示部１３に表示する。
初期設定項目としては、画像形成装置で実行されるあらゆる機能に対する設定項目があり、たとえば、原稿サイズ、印刷用紙サイズ、濃度、倍率、記録フォーマット、宛先、用紙種類（普通紙、厚紙１、色紙、コート紙）などが、選択可能に一覧表示される。
ここで、原稿サイズが選択入力されると、原稿サイズの初期設定が行えるようになる。
【０１４０】
ステップS4において、原稿サイズが選択入力された場合、ステップS6に進み、そうでない場合は、ステップS5に進む。
ステップS5において、原稿サイズ以外の設定項目が選択されたので、その他の選択項目の初期設定処理を行い、ステップS3に戻るか、あるいは、処理を終了する。
たとえば、印刷用紙サイズが選択入力された場合は、印刷に利用する用紙のサイズが初期設定される。
【０１４１】
ステップS6において、原稿サイズ初期設定選択画面を表示する。
たとえば、図６（a）に示したような選択画面を表示させる。
管理担当者は、この選択画面を見て、所望の原稿サイズまたは「指定しない（NG）」を選択入力する。
ステップS7において、原稿サイズの初期設定値が選択入力されたか否かをチェックする。
ステップS8において、原稿サイズの初期設定値が選択入力された場合は、ステップS9に進み、そうでない場合は、ステップS7に戻る。
【０１４２】
ステップS9において、選択された原稿サイズの初期設定値を、原稿サイズ初期情報G1５５に記憶する。
また、画像形成装置の初期状態においては、さらに、選択された原稿サイズの初期設定値を、原稿サイズ設定情報GS５１に記憶する。
ステップS10において、初期設定を終了する入力があったか否かをチェックし、初期設定を終了する入力があった場合は、処理を終了し、そうでない場合は、ステップS3に戻る。
【０１４３】
図１３には示していないが、原稿サイズの初期設定をする場合に、「指定しない（NG）」を選択入力した場合、原稿サイズ表示情報GH５３も、予め初期設定してもよい。
【０１４４】
なお、利用者が、原稿サイズの設定や変更をする場合は、たとえば、図５（b）や図５（c）の操作画面を表示させて、利用者に所望の原稿サイズを選択入力してもらい、選択入力された原稿サイズを、原稿サイズ設定情報GS５１に記憶する。
ただし、利用者が原稿サイズを設定等する操作画面では、原稿サイズを特定のものに決定するために行う操作なので、画像形成装置で利用できる定型の原稿サイズが一覧表示されるが、「指定しない（NG）」という選択項目は表示しない。
【０１４５】
＜コピー機能の選択時の処理＞
ここでは、原稿台に載置された原稿のコピーを実行する場合について説明する。
すでに、利用者によって、コピーする原稿が、原稿台に載置されているものとする。
図１４に、コピー機能が選択された場合の処理の一実施例のフローチャートを示す。
図１５に、図１４における設定項目の内容の設定処理の一実施例のフローチャートを示す。
また、図１６に、自動原稿送り装置を備えた画像形成装置において、コピー機能が選択された場合の処理の一実施例のフローチャートを示す。
【０１４６】
図１４のステップS21において、コピーの選択入力がされたか否かをチェックする。
ステップS22において、コピーの選択入力がされた場合は、ステップS23に進み、そうでない場合は、ステップS21に戻る。
ステップS23において、記憶部５０から、原稿サイズ設定情報GS５１を、読み出す。
ステップS24において、原稿サイズ設定情報GS５１の原稿サイズが、「指定しない（NG）」である場合は、ステップS25に進み、そうでない場合は、ステップS26に進む。
【０１４７】
ステップS25において、原稿サイズ表示情報GH５３を読み出し、原稿サイズ表示情報GH５３の記憶内容を利用して、原稿サイズの表示内容を設定する。
たとえば、図３（c）に示すように、原稿サイズ表示情報GH５３に「無し」が設定されていた場合は、原稿サイズを表示する欄には、何も表示しないように設定する。
あるいは、原稿サイズ表示情報GH５３に「アイコン」が設定されていた場合は、原稿サイズを表示する欄に、所定のアイコンを表示するように設定し、原稿サイズ表示情報GH５３に「文字」が設定されていた場合は、原稿サイズを表示する欄に、たとえば、「指定なし」の文字を表示するように設定する。
【０１４８】
ステップS26において、コピー時の操作画面を表示する。
たとえば、図４（a）や図４（b）に示したような操作画面を表示する。
利用者は、コピー時の操作画面に表示された現在設定値を見て、コピーに関係する設定項目の中に、設定を変更すべきものがあるか否かを確認する。
たとえば、現在設定値の原稿サイズの欄に、何も表示されていない場合や、「指定なし」が表示されている場合は、原稿サイズを設定する必要があることを確認し、原稿サイズの内容を設定する操作すればよい。
【０１４９】
ステップS27において、設定項目の選択入力の有無をチェックする。
たとえば、図４（a）に示した設定項目選択１３２の中で、いずれかの項目が選択入力されたか否かをチェックする。
ステップS28において、設定項目の選択入力があった場合は、ステップS29に進み、そうでない場合は、ステップS30に進む。
【０１５０】
ステップS29において、選択された設定項目の内容を設定する処理を行う。
たとえば、図５（a）のように、設定項目選択１３２のうち、原稿サイズが選択入力された場合は、図５（b）または図５（c）の操作画面を表示させて、原稿サイズの内容を設定する。ステップS29の詳細フローの例を、後述する図１５に示す。
設定項目の内容を設定する処理をした後、ステップS26に戻る。
【０１５１】
ステップS30において、コピー開始を意味する入力がされた場合、ステップS31に進み、そうでない場合は、ステップS26に戻る。
ステップS31において、原稿サイズ設定情報GS５１の原稿サイズが、「指定しない（NG）」である場合は、ステップS32に進み、そうでない場合は、ステップS34に進む。
【０１５２】
ステップS32において、現在、原稿サイズは設定されていないが、記憶部５０に記憶されている選択用紙情報（印刷用紙サイズ）PA５２を、原稿サイズ設定情報GS５１に設定する。
ステップS33において、コピーを実行する。
ここでは、原稿台に載置された原稿を、原稿サイズ設定情報GS５１に設定されたサイズの原稿として読み取り、読み取った原稿データを、選択用紙情報（印刷用紙サイズ）PA５２に設定された印刷用紙に印刷して出力する。その後、処理を終了する。
この場合、利用者が自ら設定しまたは確認した印刷用紙サイズと同じ大きさの原稿サイズで原稿が読み取られ、その印刷用紙サイズの印刷用紙で、コピーが実行される。
【０１５３】
ステップS34において、原稿サイズ設定情報GS５１の原稿サイズで、コピーを実行する。
ここでも、原稿台に載置された原稿を、原稿サイズ設定情報GS５１に設定されたサイズの原稿として読み取り、読み取った原稿データを、選択用紙情報（印刷用紙サイズ）PA５２に設定された印刷用紙に印刷して出力する。その後、処理を終了する。
この場合、利用者が自ら設定しまたは確認した原稿サイズと、利用者が自ら設定しまたは確認した印刷用紙サイズで、コピーが実行される。
【０１５４】
図１５において、ステップS29の選択された設定項目の内容を設定する処理を説明する。
図１５のステップS51において、選択された設定項目の設定画面を表示する。
ステップS52において、表示された設定項目のうち、設定項目の内容を指定する入力、あるいは変更する入力の有無をチェックする。
ステップS53において、設定項目の内容を指定する入力等があれば、ステップS54に進み、そうでない場合は、ステップS52に戻る。
ステップS54において、指定された内容を、設定項目の内容として記憶し、表示する。
ステップS55において、設定項目の指定を終了する入力があれば、処理を終了し、なければステップS52に戻る。
【０１５５】
このように、コピー時の操作画面を表示する場合において、現在設定値の原稿サイズの欄に、何も表示されていない場合や、「指定なし」が表示されている場合や、「指定しない」に対応するアイコンが表示されている場合は、利用者は、原稿サイズを設定する必要があることを確認できるので、意図しない原稿サイズのままで、コピーが実行されてしまうことを減少させることができる。
【０１５６】
上記の図１４に示したフローチャートでは、原稿台に原稿を載置した場合の処理を説明したが、図１６に、原稿を載置する位置を考慮したフローチャートの一実施例を示す。
ただし、図１４と同じ処理をするステップには、同じ番号を付与する。
図１６のステップS21とステップS22では、図１４と同様に、コピー機能が選択されたか否かをチェックし、コピー機能が選択された場合に、ステップS71に進む。
【０１５７】
ステップS71において、原稿有無検出部２３が、原稿台に原稿が載置されたか否かをチェックし、原稿台に原稿が載置されていることを検出した場合は、ステップS23に進み、その後は、図１４に示したステップ２３以降の処理と同じ処理を実行する。
一方、原稿台に原稿が載置されていないことを検出した場合は、ステップS72に進む。
【０１５８】
ステップS72において、原稿サイズ検出部２４が、ADFに原稿が載置されたか否かをチェックし、ADFに原稿が載置されていることを検出した場合は、ステップS73に進み、そうでない場合は、ステップS76に進む。
ステップS76において、表示部１３に、「原稿を原稿台またはADFに載置してください」を表示し、ステップS71に戻る。
【０１５９】
ステップS73において、原稿サイズ検出部２４が、ADFに載置された原稿のサイズを自動的に検出する。
ステップS74において、検出した原稿サイズを、検出原稿サイズ情報AS５４に、記憶する。
ステップS75において、検出原稿サイズ情報AS５４を、原稿サイズ設定情報GS５１に設定し、ADFに載置された原稿のサイズを確定する。
ADFに原稿が載置されている場合は、原稿サイズ設定情報GS５１に、すでに特定の原稿が記憶されていた場合と「指定しない」が記憶されていた場合のどちらも、ADFによって検出された原稿サイズ（検出原稿サイズ情報AS５４）を、原稿サイズ設定情報GS５１に設定する。これによって、ADFによって検出され確定した原稿サイズが、原稿サイズの欄に優先的に表示される。
【０１６０】
ステップS75の後、図１４に示したステップS26に進む。
ステップS26以降の処理は、図１４に示した処理と同様なので、説明を省略する。
このように、たとえ、当初、原稿サイズ設定情報GS５１に「指定しない」が設定されていたとしても、ADFに原稿が載置された場合は、ADFで自動検出された原稿サイズが、現在の原稿サイズに設定されて、原稿の読み取りやコピーが実行される。
【０１６１】
なお、ステップS72において、ADFに原稿が載置されていない場合、ステップS76で、原稿を載置する旨を表示するが、さらに、原稿サイズ設定情報GS５１に「指定しない」が設定されている場合は、原稿台に原稿を載置する場合原稿サイズを設定する必要があることを利用者に注意喚起するために、現在の原稿サイズが設定されていないことや、原稿台に原稿を載置する場合は原稿サイズを設定すべきことを、表示部１３に表示してもよい。
【０１６２】
＜スキャン機能の選択時の処理＞
ここでは、原稿台に載置された原稿の読取（スキャン）を実行する場合について説明する。
読み取る原稿がADFに載置された場合は、ADFで自動的にスキャンを行なって、読み取った画像データを記憶する。
一方、原稿台に原稿を載置した場合において、原稿サイズに特定の定型サイズが設定されている場合は、その設定された原稿サイズでスキャンを実行するが、原稿サイズが「指定しない」に設定されている場合は、原稿の読取（スキャン）を禁止する。
【０１６３】
以下の処理は、原稿読取（スキャン）機能が選択された場合の処理であるが、用紙への印刷を伴わない他の機能が選択された場合も、同様の処理を行えばよい。
たとえば、原稿送信（ファックス）機能が選択された場合も、スキャンをファックスに読み替えて、ほぼ同様の処理を行うことができる。
【０１６４】
図１７に、原稿読取（スキャン）機能が選択された場合の処理の一実施例のフローチャートを示す。
図１７のステップS101において、スキャンの選択入力がされたか否かをチェックする。
ステップS102において、スキャンの選択入力がされた場合は、ステップS103に進み、そうでない場合は、ステップS101に戻る。
ステップS103において、原稿の有無をチェックする。
すなわち、原稿有無検出部２３によって、原稿台に原稿があるかないかをチェックし、原稿サイズ検出部２４によって、ADFに原稿があるかないかをチェックする。
【０１６５】
ステップS104において、ADFに原稿があることを検出した場合は、ステップS105に進み、そうでない場合は、ステップS111に進む。
ステップS111において、原稿台に原稿があることを検出した場合は、ステップS113に進み、そうでない場合は、ステップS112に進む。
ステップS112において、「原稿を原稿台またはADFに載置してください」を表示して、ステップS103に戻る。
【０１６６】
ステップS105において、スキャン時の操作画面を表示する。
たとえば、図７（a）のようなスキャン時の操作画面を表示する。
ステップS106において、スキャンした画像データを記憶する場所や記録フォーマットなどの設定項目について、必要ならば設定入力する。
たとえば、PDFで画像データを記録したい場合は、記録フォーマットとして、PDFを設定入力し、画像データを外部のUSBメモリに記憶する場合は、画像データを記憶する場所を、外部のUSBメモリに設定入力する。
【０１６７】
ステップS107において、スキャン開始を意味する動作開始キー１０２が入力されたか否かをチェックする。
ステップS108において、スキャン開始を意味する入力がされた場合は、ステップS109に進み、そうでない場合は、ステップS107に戻る。
【０１６８】
ステップS109において、原稿を読み取るスキャン動作を実行する。
ADFに原稿が載置されている場合は、載置された原稿のサイズを検出し、検出したサイズで原稿を自動的に読み取る。
一方、後述するステップS114からステップS105に進んだ場合は、原稿が原稿台に載置され、原稿サイズも設定されているので、その設定された原稿サイズで原稿を読み取る。
ステップS110において、読み取った画像データを取得して、記憶部５０に一時記憶し、さらに、上記で設定された記憶場所に、読み取った画像データを記憶する。その後、処理を終了する。
【０１６９】
ステップS113において、原稿台に原稿があることを検出した場合は、原稿サイズ設定情報GS５１を、記憶部５０から読み出す。
ステップS114において、原稿サイズ設定情報GS５１の原稿サイズが、「指定しない（NG）」である場合は、ステップS115に進む。そうでない場合は、原稿サイズに定型の原稿サイズなどのサイズがすでに設定されているので、ステップS105に進む。
【０１７０】
ステップS115において、原稿サイズが現在設定されていないので、原稿台が使用不可であることや、ADFを使用することを要求する表示をする。
たとえば、図８（a）や図８（b）のように、文字を利用した表示をする。
あるいは、その他に、アイコン、アニメーションなどを利用した表示をしてもよい。
ステップS116において、ADFに原稿があることを検出した場合は、ステップS105に進み、そうでない場合は、ステップS115に戻る。
これにより、原稿台に原稿がある間は、スキャン機能の実行が禁止され、原稿が原稿台からADFに置き換えられた場合に、スキャン機能が実行される。
【０１７１】
なお、ステップS115において、上記した表示に加えて、原稿台を利用して原稿のスキャンを実行する場合は、原稿サイズを設定すべきことを表示し、利用者が原稿サイズを選択入力するための「手動入力」の表示領域も表示してもよい。
【０１７２】
上記のように、原稿台に原稿があることを検出した場合であって、原稿サイズが「指定しない（NG）」に設定されている場合は、スキャン機能の実行を禁止するので、利用者が意図しない原稿サイズで原稿をスキャンしてしまうことを防止でき、原稿の一部分が欠けたような画像データが記憶されることを防止できる。
また、スキャン機能の実行を禁止している状態で、原稿台が使用不可であることや、ADFを使用することを要求する表示をするので、利用者は、その表示にしたがって、原稿をADFに置き換える操作をすることにより、スキャン機能を実行できるようになり、利用者の操作負担も軽減できる。
【０１７３】
＜ファックス機能の選択時の処理＞
ここでは、原稿台に載置された原稿のファックスによる送信を実行する場合について説明する。
送信する原稿がADFに載置された場合は、ADFで自動的に原稿を読み取って、読み取った画像データを、所定の宛先にファックス送信する。
一方、原稿台に原稿を載置した場合において、原稿サイズに特定の定型サイズが設定されている場合は、その設定された原稿サイズで読み取ってファックス送信を実行するが、原稿サイズが「指定しない」に設定されている場合は、原稿の送信（ファックス）を禁止する。
【０１７４】
また、画像形成装置がADFを備えていない場合や、ADFが故障している場合など、ADFを利用できない場合は、原稿台に原稿を載置してファックス送信をする必要があるので、利用者に、試行印刷（プレ印刷）を行うか、あるいは原稿サイズの設定を行うかの選択入力を要求し、プレ印刷が選択された場合は、利用者がプレ印刷された画像データを確認し承認する入力をした後に、原稿台に載置された原稿から読み取った画像データを、所定の宛先にファックス送信するようにする。
なお、ADFを利用できない場合においても、原稿台に載置された原稿のサイズがすでに設定入力されている場合は、プレ印刷を行わずに、原稿台に載置された原稿を読み取ってファックス送信してもよい。
【０１７５】
以下の処理は、原稿送信（ファックス）機能が選択された場合の処理であるが、用紙への印刷を伴わない他の機能が選択された場合も、プレ印刷を含む同様の処理を行えばよい。
たとえば、原稿読取（スキャン）機能が選択された場合も、ファックスをスキャンに読み替えて、ほぼ同様の処理を行うことができる。
【０１７６】
図１８、図１９，図２０に、原稿送信（ファックス）機能が選択された場合の処理の一実施例のフローチャートを示す。
図１９は、図１８において、ADFの利用ができない場合に続く処理の一実施例のフローチャートである。
図２０は、図１９において、プレ印刷が選択入力された場合に続く処理の一実施例のフローチャートである。
【０１７７】
図１８のステップS131において、ファックスの選択入力がされたか否かをチェックする。
ステップS132において、ファックスの選択入力がされた場合は、ステップS133に進み、そうでない場合は、ステップS131に戻る。
ステップS133において、ADFが利用可能か否かをチェックし、利用できる場合は、ステップS134に進み、利用できない場合は、図１９のステップS151に進む、
【０１７８】
ステップS134において、原稿の有無をチェックする。
すなわち、ステップS103と同様に、原稿有無検出部２３によって、原稿台に原稿があるかないかをチェックし、原稿サイズ検出部２４によって、ADFに原稿があるかないかをチェックする。
【０１７９】
ステップS135において、ADFに原稿があることを検出した場合は、ステップS136に進み、そうでない場合は、ステップS141に進む。
ステップS141において、原稿台に原稿があることを検出した場合は、ステップS143に進み、そうでない場合は、ステップS142に進む。
ステップS142において、「原稿を原稿台またはADFに載置してください」を表示して、ステップS134に戻る。
【０１８０】
ステップS136において、ファックス時の操作画面を表示する。
たとえば、図１０（a）のようなファックス時の操作画面を表示する。
ステップS137において、ファックスする画像データを送信する宛先や画質濃度などの設定項目について、必要ならば設定入力する。
【０１８１】
ステップS138において、ファックス開始を意味する動作開始キー１０２が入力されたか否かをチェックする。
ステップS139において、ファックス開始を意味する入力がされた場合は、ステップS140に進み、そうでない場合は、ステップS138に戻る。
【０１８２】
ステップS140において、原稿を送信するファックス動作を実行する。
原稿を読み取って送信する画像データを取得し、設定した宛先に、取得した画像データをファックス送信する。
ADFに原稿が載置されている場合は、載置された原稿のサイズを検出し、検出したサイズで原稿を自動的に読み取り、その画像データを宛先に送信する。
一方、後述するステップS144からステップS136に進んだ場合は、原稿が原稿台に載置され、原稿サイズも設定されているので、その設定された原稿サイズで原稿を読み取る。
その後、処理を終了する。
【０１８３】
ステップS143において、原稿台に原稿があることを検出した場合は、原稿サイズ設定情報GS５１を、記憶部５０から読み出す。
ステップS144において、原稿サイズ設定情報GS５１の原稿サイズが、「指定しない（NG）」である場合は、ステップS145に進む。そうでない場合は、原稿サイズに定型の原稿サイズなどのサイズがすでに設定されているので、ステップS136に進む。
【０１８４】
ステップS145において、原稿サイズが現在設定されていないので、原稿台が使用不可であることや、ADFを使用することを要求する表示をする。
たとえば、図１１（a）や図１１（b）のように、文字を利用した表示をする。
あるいは、その他に、アイコン、アニメーションなどを利用した表示をしてもよい。
ステップS146において、ADFに原稿があることを検出した場合は、ステップS136に進み、そうでない場合は、ステップS145に戻る。
これにより、原稿台に原稿がある間は、ファックス機能の実行が禁止され、原稿が原稿台からADFに置き換えられた場合に、ファックス機能が実行される。
【０１８５】
図１９のステップS151において、ADFが利用できないので、原稿台に原稿を配置する要求を表示する。
たとえば、図１２（a）に示したように、「ADFは、使えません。原稿台に、原稿を置き直して下さい。」という警告表示をする。
ステップS152において、原稿台に原稿があることを検出した場合は、ステップS153に進み、そうでない場合は、ステップS151に戻る。
【０１８６】
ステップS153において、試行印刷（プレ印刷）などに必要な操作を要求する表示をする。
たとえば、図１２（b）に示したように、「ADFは使えません。原稿サイズを「手動入力」を入力するか、あるいは、「プレ印刷」を入力して、印刷された読取画像を確認した後、ファックスを実行してください。」という操作要求表示１３６をする。
また、操作要求表示１３６には、「手動入力」、「プレ印刷」、および、「戻る」という選択入力領域を表示する。
【０１８７】
利用者は、この操作要求表示１３６を見て、原稿サイズを入力するために「手動入力」を選択入力するか、試行印刷（プレ印刷）をするために「プレ印刷」を選択入力するか、または、処理をやり直すために「戻る」を選択入力する。
【０１８８】
ステップS154において、「プレ印刷」が選択入力された場合は、図２０のステップS161に進み、そうでない場合は、ステップS155に進む。
ステップS155において、「手動入力」が選択入力され、さらに、原稿サイズを選択する画面で原稿サイズが選択入力された場合は、ステップS157に進み、そうでない場合は、ステップS156に進む。
ステップS156において、「戻る」が選択入力された場合は、図１８のステップS131に進み、そうでない場合は、ステップS154に戻る。
ステップS157において、選択入力された原稿サイズを、原稿サイズ設定情報GS５１に記憶する。その後、図１８のステップS136に進む。
【０１８９】
図２０のステップS161において、原稿サイズ設定情報GS５１の原稿サイズが、「指定しない（NG）」である場合は、ステップS163に進む。そうでない場合は、原稿サイズに定型の原稿サイズなどのサイズがすでに設定されているので、ステップS162に進む。
ステップS162とステップS163では、試行印刷（プレ印刷）が実行される。
【０１９０】
ステップS162において、まず、設定されている現在の原稿サイズで、原稿台に載置された原稿の読取（スキャン）を実行する。次に、スキャンして取得した画像データを、設定されている現在の原稿サイズと同じサイズの印刷用紙に印刷する。
以上のステップS162の処理により、スキャンした原稿を印刷した印刷用紙が出力され、ステップS164に進む。
【０１９１】
ステップS163において、まず、画像形成装置で利用可能な最大の原稿サイズで、原稿台に載置された原稿の読取（スキャン）を実行する。次に、スキャンして取得した画像データを、画像形成装置で利用可能な最大の印刷用紙に印刷する。
最大の原稿サイズで原稿の読取（スキャン）を実行し、スキャンして取得した画像データを最大の印刷用紙に印刷することにより、原稿の全体画像が、印刷用紙に印刷される。
あるいは、同一送付先への送信履歴より原稿サイズに設定して、原稿の読取（スキャン）を実行し、取得した画像データを、送信履歴と同じ原稿サイズの印刷用紙に印刷してもよい。
以上のステップS163の処理により、スキャンした原稿を印刷した印刷用紙が出力され、ステップS164に進む。
【０１９２】
原稿サイズが「指定しない（NG）」である場合は、利用者は、印刷結果を見て、適切な原稿サイズと印刷用紙サイズを検討し、次のステップS164の表示を見て、印刷結果を承認する入力をせずに、原稿サイズと印刷用紙サイズを設定するために、「手動入力」を選択入力することが好ましい。
【０１９３】
ステップS164において、プレ印刷された画像データの確認と承認入力などに必要な操作を要求する表示をする。
たとえば、図１２（c）に示したように、「プレ印刷された画像を確認してください。原稿サイズに問題なければ「OK」を入力してください。原稿サイズを変更する場合は、「手動入力」を入力してください。」という操作要求表示１３６をする。
また、この操作要求表示１３６には、「手動入力」、「OK」、および、「戻る」という選択入力領域を表示する。
【０１９４】
利用者は、この操作要求表示１３６を見て、原稿サイズを入力するために「手動入力」を選択入力するか、出力された印刷用紙の画像データを承認するために「OK」を選択入力するか、または、処理をやり直すために「戻る」を選択入力する。
【０１９５】
ステップS165において、承認を意味する「OK」が選択入力された場合は、ファックス送信を開始するために、図１８のステップS136に進み、そうでない場合は、ステップS166に進む。
【０１９６】
ステップS166において、「手動入力」が選択入力され、さらに、原稿サイズを選択する画面で原稿サイズが選択入力された場合は、ステップS168に進み、そうでない場合は、ステップS167に進む。
ステップS167において、「戻る」が選択入力された場合は、図１８のステップS131に進み、そうでない場合は、ステップS165に戻る。
ステップS168において、選択入力された原稿サイズを、原稿サイズ設定情報GS５１に記憶する。その後、図１８のステップS136に進む。
【０１９７】
上記のように、原稿台に原稿があることを検出した場合であって、原稿サイズが「指定しない（NG）」に設定されている場合は、ファックス機能の実行を禁止するので、利用者が意図しない原稿サイズで原稿をファックス送信してしまうことを防止でき、原稿の一部分が欠けたような画像データを宛先にファックス送信することを防止できる。
また、ファックス機能の実行を禁止している状態で、原稿台が使用不可であることや、ADFを使用することを要求する表示をするので、利用者は、その表示にしたがって、原稿をADFに置き換える操作をすることにより、ファックス機能を実行できるようになり、利用者の操作負担も軽減できる。
【０１９８】
さらに、ADFが利用できない状態において、原稿台を使って原稿を読み取ってファックス機能を実行する場合には、利用者の選択入力により、試行印刷（プレ印刷）をして印刷された画像データを確認してから、ファックス送信を開始するので、利用者が意図しない原稿サイズで原稿を読み取ることにより原稿の一部分が欠けた画像データでファックス送信してしまうことを防止できる。
【符号の説明】
【０１９９】
１  画像形成装置（ＭＦＰ）、
１１  制御部、
１２  操作部、
１３  表示部、
１４  画像入力部、
１５  画像形成部、
１６  画像出力部、
２１  原稿サイズ設定部、
２２  原稿サイズ表示部、
２３  原稿有無検出部、
２４  原稿サイズ検出部、
２５  機能選択部、
２６  機能実行部、
２７  機能禁止部、
２８  試行印刷要求部、
４１  原稿台、
４２  自動原稿送り装置、
５０  記憶部、
５１  原稿サイズ設定情報、
５２  選択用紙情報、
５３  原稿サイズ表示情報、
５４  検出原稿サイズ情報、
５５  原稿サイズ初期情報、
１００  操作パネル、
１０１  十字選択キー、
１０２  動作開始キー、
１０２ａ  カラースタートキー、
１０２ｂ  白黒スタートキー、
１０２ｃ  ストップキー、
１０３  機能選択キー、
１０３ａ  ファックスキー、
１０３ｂ  スキャナキー、
１０３ｃ  コピーキー、
１０４  設定キー、
１３０  操作画面、
１３１  現在設定値、
１３２  設定項目選択、
１３３  ＡＢ系設定可能サイズ、
１３４  インチ系設定可能サイズ、
１３５  警告表示、
１３６  操作要求表示、
１４１  原稿サイズ設定可能値、
１４２  印刷用紙設定可能値
【図１】
2020195064.tif 000003
【図２】
2020195064.tif 000004
【図３】
2020195064.tif 000005
【図４】
2020195064.tif 000006
【図５】
2020195064.tif 000007
【図６】
2020195064.tif 000008
【図７】
2020195064.tif 000009
【図８】
2020195064.tif 000010
【図９】
2020195064.tif 000011
【図１０】
2020195064.tif 000012
【図１１】
2020195064.tif 000013
【図１２】
2020195064.tif 000014
【図１３】
2020195064.tif 000015
【図１４】
2020195064.tif 000016
【図１５】
2020195064.tif 000017
【図１６】
2020195064.tif 000018
【図１７】
2020195064.tif 000019
【図１８】
2020195064.tif 000020
【図１９】
2020195064.tif 000021
【図２０】
2020195064.tif 000022